(57)【特許請求の範囲】
【請求項１】
物体側から像側に順に、
負の屈折力を有する前群と、
開口絞りを含み正の屈折力を有する後群と、からなり、
前記前群は、負の屈折力を有する第１のレンズと、負の屈折力を有する第２のレンズと、正の屈折力を有する第３のレンズと、を含み、
前記第１のレンズは最も物体側に配置され、かつ、その形状は物体側に凸面を向けたメニスカス形状であり、
前記第２のレンズは前記第１のレンズよりも像側に配置され、かつ、その形状は物体側に凸面を向けたメニスカス形状であり、
前記後群は、物体側から像側に順に、第１のレンズユニットと、第２のレンズユニットと、からなる第１の構成を有するか、又は、物体側から像側に順に、前記第１のレンズユニットと、前記第２のレンズユニットと、１以上のレンズ群と、からなる第２の構成を有し、
広角端から望遠端への変倍に際して、
前記前群と前記後群との間隔は狭くなり、
前記第１の構成と前記第２の構成では、前記第１のレンズユニットと前記第２のレンズユニットとの間隔は変化し、
前記第２の構成では、前記第２のレンズユニットと前記第２のレンズユニットの像側に位置するレンズ群との間隔、及び、隣接する各レンズ群との間隔が変化し、
前記第１のレンズユニットは、前記開口絞りよりも物体側で、前記第１のレンズユニットの最も物体側に正の屈折力を有するフォーカスレンズ群を有し、
フォーカシングに際して、前記フォーカスレンズ群のみが光軸に沿って移動し、
変倍時、前記フォーカスレンズ群の像側に隣接する空間の間隔は、一定又は変化し、
前記第１のレンズユニットは、物体側から像側に順に、第１のサブレンズユニットと、第２のサブレンズユニットと、からなり、
前記第１のサブレンズユニットは、前記フォーカスレンズ群を含み、
変倍に際して、前記第１のサブレンズユニットと前記第２のサブレンズユニットとの間隔は変化し、
以下の条件式を満足することを特徴とするズームレンズ。
７２＜νｄFnmax＜１１０
−１．４５＜ＦＢw／ｆF＜−０．３
ここで、
νｄFnmaxは、前記前群に含まれる負の屈折力を有するレンズのアッベ数のうち、最大となるアッベ数、
ＦＢwは、広角端におけるバックフォーカス、
ｆFは、前記前群の焦点距離、
である。
【請求項２】
物体側から像側に順に、
負の屈折力を有する前群と、
開口絞りを含み正の屈折力を有する後群と、からなり、
前記前群は、負の屈折力を有する第１のレンズと、負の屈折力を有する第２のレンズと、正の屈折力を有する第３のレンズと、を含み、
前記第１のレンズは最も物体側に配置され、かつ、その形状は物体側に凸面を向けたメニスカス形状であり、
前記第２のレンズは前記第１のレンズよりも像側に配置され、かつ、その形状は物体側に凸面を向けたメニスカス形状であり、
前記後群は、物体側から像側に順に、第１のレンズユニットと、第２のレンズユニットと、からなる第１の構成を有するか、又は、物体側から像側に順に、前記第１のレンズユニットと、前記第２のレンズユニットと、１以上のレンズ群と、からなる第２の構成を有し、
広角端から望遠端への変倍に際して、
前記前群と前記後群との間隔は狭くなり、
前記第１の構成と前記第２の構成では、前記第１のレンズユニットと前記第２のレンズユニットとの間隔は変化し、
前記第２の構成では、前記第２のレンズユニットと前記第２のレンズユニットの像側に位置するレンズ群との間隔、及び、隣接する各レンズ群との間隔が変化し、
前記第１のレンズユニットは、前記開口絞りよりも物体側で、前記第１のレンズユニットの最も物体側に正の屈折力を有するフォーカスレンズ群を有し、
フォーカシングに際して、前記フォーカスレンズ群のみが光軸に沿って移動し、
変倍時、前記フォーカスレンズ群の像側に隣接する空間の間隔は、一定又は変化し、
前記第１のレンズユニットは、物体側から像側に順に、第１のサブレンズユニットと、第２のサブレンズユニットと、からなり、
前記第１のサブレンズユニットは、前記フォーカスレンズ群を含み、
変倍に際して、前記第１のサブレンズユニットと前記第２のサブレンズユニットとの間隔は変化し、
以下の条件式を満足することを特徴とするズームレンズ。
７２＜νｄFnmax＜１１０
−１．８＜ｆw×Ｆｎｏwmin／ｆF＜−０．５
ここで、
νｄFnmaxは、前記前群に含まれる負の屈折力を有するレンズのアッベ数のうち、最大となるアッベ数、
ｆwは、広角端における前記ズームレンズ全系の焦点距離、
Ｆｎｏwminは、広角端におけるＦナンバーのうち、最小となるＦナンバー、
ｆFは、前記前群の焦点距離、
である。
【請求項３】
物体側から像側に順に、
負の屈折力を有する前群と、
開口絞りを含み正の屈折力を有する後群と、からなり、
前記前群は、負の屈折力を有する第１のレンズと、負の屈折力を有する第２のレンズと、正の屈折力を有する第３のレンズと、を含み、
前記第１のレンズは最も物体側に配置され、かつ、その形状は物体側に凸面を向けたメニスカス形状であり、
前記第２のレンズは前記第１のレンズよりも像側に配置され、かつ、その形状は物体側に凸面を向けたメニスカス形状であり、
前記後群は、物体側から像側に順に、第１のレンズユニットと、第２のレンズユニットと、からなる第１の構成を有するか、又は、物体側から像側に順に、前記第１のレンズユニットと、前記第２のレンズユニットと、１以上のレンズ群と、からなる第２の構成を有し、
広角端から望遠端への変倍に際して、
前記前群と前記後群との間隔は狭くなり、
前記第１の構成と前記第２の構成では、前記第１のレンズユニットと前記第２のレンズユニットとの間隔は変化し、
前記第２の構成では、前記第２のレンズユニットと前記第２のレンズユニットの像側に位置するレンズ群との間隔、及び、隣接する各レンズ群との間隔が変化し、
前記第１のレンズユニットは、前記開口絞りよりも物体側で、前記第１のレンズユニットの最も物体側に正の屈折力を有するフォーカスレンズ群を有し、
フォーカシングに際して、前記フォーカスレンズ群のみが光軸に沿って移動し、
変倍時、前記フォーカスレンズ群の像側に隣接する空間の間隔は、一定又は変化し、
前記第１のレンズユニットは、物体側から像側に順に、第１のサブレンズユニットと、第２のサブレンズユニットと、からなり、
前記第１のサブレンズユニットは、前記フォーカスレンズ群を含み、
変倍に際して、前記第１のサブレンズユニットと前記第２のサブレンズユニットとの間隔は変化し、
以下の条件式を満足することを特徴とするズームレンズ。
７２＜νｄFnmax＜１１０
−１．６５＜ＦＢw／ｆF＜−０．３
−２．３＜ｆw×Ｆｎｏwmin／ｆF＜−０．７
ここで、
νｄFnmaxは、前記前群に含まれる負の屈折力を有するレンズのアッベ数のうち、最大となるアッベ数、
ＦＢwは、広角端におけるバックフォーカス、
ｆFは、前記前群の焦点距離、
ｆwは、広角端における前記ズームレンズ全系の焦点距離、
Ｆｎｏwminは、広角端におけるＦナンバーのうち、最小となるＦナンバー、
である。
【請求項４】
物体側から像側に順に、
負の屈折力を有する前群と、
開口絞りを含み正の屈折力を有する後群と、からなり、
前記前群は、負の屈折力を有する第１のレンズと、負の屈折力を有する第２のレンズと、正の屈折力を有する第３のレンズと、を含み、
前記第１のレンズは最も物体側に配置され、かつ、その形状は物体側に凸面を向けたメニスカス形状であり、
前記第２のレンズは前記第１のレンズよりも像側に配置され、かつ、その形状は物体側に凸面を向けたメニスカス形状であり、
前記後群は、物体側から像側に順に、第１のレンズユニットと、第２のレンズユニットと、からなる第１の構成を有するか、又は、物体側から像側に順に、前記第１のレンズユニットと、前記第２のレンズユニットと、１以上のレンズ群と、からなる第２の構成を有し、
広角端から望遠端への変倍に際して、
前記前群と前記後群との間隔は狭くなり、
前記第１の構成と前記第２の構成では、前記第１のレンズユニットと前記第２のレンズユニットとの間隔は変化し、
前記第２の構成では、前記第２のレンズユニットと前記第２のレンズユニットの像側に位置するレンズ群との間隔、及び、隣接する各レンズ群との間隔が変化し、
前記第１のレンズユニットは、前記開口絞りよりも物体側で、前記第１のレンズユニットの最も物体側に正の屈折力を有するフォーカスレンズ群を有し、
フォーカシングに際して、前記フォーカスレンズ群のみが光軸に沿って移動し、
変倍時、前記フォーカスレンズ群の像側に隣接する空間の間隔は、一定又は変化し、
前記第１のレンズユニットは、物体側から像側に順に、第１のサブレンズユニットと、第２のサブレンズユニットと、からなり、
前記第１のサブレンズユニットは、前記フォーカスレンズ群を含み、
変倍に際して、前記第１のサブレンズユニットと前記第２のサブレンズユニットとの間隔は変化し、
以下の条件式を満足することを特徴とするズームレンズ。
７２＜νｄFnmax＜１１０
１．２５＜ｆRw／ＦＢw＜５
ここで、
νｄFnmaxは、前記前群に含まれる負の屈折力を有するレンズのアッベ数のうち、最大となるアッベ数、
ｆRwは、広角端における前記後群の焦点距離、
ＦＢwは、広角端におけるバックフォーカス、
である。
【請求項５】
物体側から像側に順に、
負の屈折力を有する前群と、
開口絞りを含み正の屈折力を有する後群と、からなり、
前記前群は、負の屈折力を有する第１のレンズと、負の屈折力を有する第２のレンズと、正の屈折力を有する第３のレンズと、を含み、
前記第１のレンズは最も物体側に配置され、かつ、その形状は物体側に凸面を向けたメニスカス形状であり、
前記第２のレンズは前記第１のレンズよりも像側に配置され、かつ、その形状は物体側に凸面を向けたメニスカス形状であり、
前記後群は、物体側から像側に順に、第１のレンズユニットと、第２のレンズユニットと、からなる第１の構成を有するか、又は、物体側から像側に順に、前記第１のレンズユニットと、前記第２のレンズユニットと、１以上のレンズ群と、からなる第２の構成を有し、
広角端から望遠端への変倍に際して、
前記前群と前記後群との間隔は狭くなり、
前記第１の構成と前記第２の構成では、前記第１のレンズユニットと前記第２のレンズユニットとの間隔は変化し、
前記第２の構成では、前記第２のレンズユニットと前記第２のレンズユニットの像側に位置するレンズ群との間隔、及び、隣接する各レンズ群との間隔が変化し、
前記第１のレンズユニットは、前記開口絞りよりも物体側に正の屈折力を有するフォーカスレンズ群を有し、
フォーカシングに際して、前記フォーカスレンズ群のみが光軸に沿って移動し、
変倍時、前記フォーカスレンズ群の像側に隣接する空間の間隔は、一定又は変化し、
前記第１のレンズユニットは、物体側から像側に順に、前記フォーカスレンズ群と、第２のサブレンズユニットと、からなり、
以下の条件式を満足することを特徴とするズームレンズ。
７２＜νｄFnmax＜１１０
−１．４５＜ＦＢw／ｆF＜−０．３
ここで、
νｄFnmaxは、前記前群に含まれる負の屈折力を有するレンズのアッベ数のうち、最大となるアッベ数、
ＦＢwは、広角端におけるバックフォーカス、
ｆFは、前記前群の焦点距離、
である。
【請求項６】
前記前群は、更に、負の屈折力を有する第４のレンズを含むことを特徴とする請求項１から５のいずれか一項に記載のズームレンズ。
【請求項７】
前記前群は、更に、負の屈折力を有する第４のレンズを含み、
前記第４のレンズの形状はメニスカス形状であることを特徴とする請求項１から５のいずれか一項に記載のズームレンズ。
【請求項８】
前記前群は、更に、負の屈折力を有する第４のレンズを含み、
前記第４のレンズの形状は、物体側に凸面を向けたメニスカス形状であることを特徴とする請求項１から５のいずれか一項に記載のズームレンズ。
【請求項９】
前記第４のレンズは、前記第２のレンズよりも像側に配置されていることを特徴とする請求項６から８のいずれか一項に記載のズームレンズ。
【請求項１０】
以下の条件式を満足することを特徴とする請求項１から９のいずれか一項に記載のズームレンズ。
１．１＜｜ｒF1i／ｆF｜＜３
ここで、
ｒF1iは、前記第１のレンズの像側面の近軸曲率半径、
ｆFは、前記前群の焦点距離、
である。
【請求項１１】
以下の条件式を満足することを特徴とする請求項１から１０のいずれか一項に記載のズームレンズ。
０．５３＜θgFFn＜０．５５
ここで、
θgFFnは、前記前群に含まれる負の屈折力を有するレンズのうち、アッベ数の値が最も大きいレンズにおける部分分散比であって、θgFFn＝（ｎg−ｎF）／（ｎF−ｎc）で表され、
ｎg、ｎF、ｎcは、それぞれ、前記アッベ数の値が最も大きいレンズのｇ線、Ｆ線、Ｃ線での屈折率、
である。
【請求項１２】
以下の条件式を満足することを特徴とする請求項１から１１のいずれか一項に記載のズームレンズ。
０．０１＜θgFFn＋０．００１６×νｄ−０．６４１５＜０．０５４
ここで、
θgFFnは、前記前群に含まれる負の屈折力を有するレンズのうち、アッベ数の値が最も大きいレンズにおける部分分散比であって、θgFFn＝（ｎg−ｎF）／（ｎF−ｎc）で表され、
ｎg、ｎF、ｎcは、それぞれ、前記アッベ数の値が最も大きいレンズのｇ線、Ｆ線、Ｃ線での屈折率、
νｄは、前記アッベ数の値が最も大きいレンズのアッベ数、
である。
【請求項１３】
以下の条件式を満足することを特徴とする請求項１から１２のいずれか一項に記載のズームレンズ。
０．０６＜ＦＢw／ＬＴＬw＜０．２０
ここで、
ＦＢwは、広角端におけるバックフォーカス、
ＬＴＬwは、広角端における前記ズームレンズの最も物体側の面から像面までの軸上距離、
である。
【請求項１４】
以下の条件式を満足することを特徴とする請求項１から１３のいずれか一項に記載のズームレンズ。
１．９＜ＳＰF1＜９．０
ここで、
ＳＰF1＝（ｒF1o＋ｒF1i）／（ｒF1o−ｒF1i）
ｒF1oは、前記第１のレンズの物体側面の近軸曲率半径、
ｒF1iは、前記第１のレンズの像側面の近軸曲率半径、
である。
【請求項１５】
前記前群中のレンズであって、物体側に凸面を向けたメニスカス形状のレンズのうち、少なくとも一つのレンズは、以下の条件式を満足する非球面を有することを特徴とする請求項１から１４のいずれか一項に記載のズームレンズ。
３０°＜ＡＳＰRθ＜７０°
ここで、
ＡＳＰRθは、前記少なくとも一つのレンズの像側の面の所定の位置における面の傾き、
前記所定の位置は、前記少なくとも一つのレンズにおいて有効口径が最大となる位置、
前記面の傾きは、前記所定の位置における面の接線と光軸とが交わる角度、
である。
【請求項１６】
変倍に際して、前記前群は移動することを特徴とする請求項１から１５のいずれか一項に記載のズームレンズ。
【請求項１７】
変倍に際して、
前記第１のサブレンズユニットと前記第２のサブレンズユニットとの間隔は一定であることを特徴とする請求項５に記載のズームレンズ。
【請求項１８】
変倍に際して、
前記第１のサブレンズユニットと前記第２のサブレンズユニットとの間隔は変化することを特徴とする請求項５に記載のズームレンズ。
【請求項１９】
前記第１のサブレンズユニットの一部が前記フォーカスレンズ群であって、
変倍に際して、前記フォーカスレンズ群は、前記第１のサブレンズユニットと一体で移動することを特徴とする請求項１７又は１８に記載のズームレンズ。
【請求項２０】
前記第１のサブレンズユニット全体が前記フォーカスレンズ群であることを特徴とする請求項１８に記載のズームレンズ。
【請求項２１】
前記第１のサブレンズユニットは、正の屈折力を有することを特徴とする請求項１７から２０のいずれか一項に記載のズームレンズ。
【請求項２２】
変倍に際して、前記フォーカスレンズ群と前記第２のサブレンズユニットとの間隔は変化することを特徴とする請求項１から１６のいずれか一項に記載のズームレンズ。
【請求項２３】
前記第１のレンズユニットは手ぶれ低減レンズユニットを有し、
前記手ぶれ低減レンズユニットを光軸と垂直な方向に移動させることにより、手ぶれによる像のぶれを低減することを特徴とする請求項１から２２のいずれか一項に記載のズームレンズ。
【請求項２４】
前記手ぶれ低減レンズユニットは、前記フォーカスレンズ群よりも像側に配置されていることを特徴とする請求項２３に記載のズームレンズ。
【請求項２５】
前記第１のサブレンズユニットに、手ぶれ低減レンズユニットが配置され、
前記手ぶれ低減レンズユニットを光軸と垂直な方向に移動させることにより、手ぶれによる像のぶれを低減することを特徴とする請求項１から２４のいずれか一項に記載のズームレンズ。
【請求項２６】
以下の条件式を満足することを特徴とする請求項１から２５のいずれか一項に記載のズームレンズ。
−２５＜ＤＴＬw＜７
ここで、
ＤＴＬwは、広角端における最大画角でのディストーションであって、ＤＴＬw＝（ＩＨw1−ＩＨw2）／ＩＨw2×１００（％）で表され、
ＩＨw1は、無限物点からの広角端での最大画角が像面に結像する実像高、
ＩＨw2は、無限物点からの広角端での最大画角が像面の結像する近軸像高、
である。
【請求項２７】
所定のレンズ群を有し、
前記所定のレンズ群は、前記フォーカスレンズ群の像側面から像面までの間に位置する全てのレンズで構成されたレンズ群であって、
以下の条件式を満足することを特徴とする請求項１から２６のいずれか一項に記載のズームレンズ。
０．１０＜｜ＭＧfob2×（ＭＧfo2−１）｜＜３．０
ここで、
ＭＧfoは、任意の位置での前記フォーカスレンズ群の横倍率、
ＭＧfobは、前記任意の位置と同位置での、前記所定のレンズ群の横倍率、
である。
【請求項２８】
以下の条件式を満足することを特徴とする請求項１から２７のいずれか一項に記載のズームレンズ。
−２．０＜ｆF／（ｆw×ｆt）1/2＜−１．０
ｆFは、前記前群の焦点距離、
ｆwは、広角端における前記ズームレンズ全系の焦点距離、
ｆtは、望遠端における前記ズームレンズ全系の焦点距離、
である。
【請求項２９】
以下の条件式を満足することを特徴とする請求項１から２８のいずれか一項に記載のズームレンズ。
１．６＜ＳＰF2＜６
ここで、
ＳＰF2＝（ｒF2o＋ｒF2i）／（ｒF2o−ｒF2i）
ｒF2oは、前記第２のレンズの物体側面の近軸曲率半径、
ｒF2iは、前記第２のレンズの像側面の近軸曲率半径、
である。
【請求項３０】
以下の条件式を満足することを特徴とする請求項６から９のいずれか一項に記載のズームレンズ。
０．５＜ＳＰF4＜６．０
ここで、
ＳＰF4＝（ｒF4o＋ｒF4i）／（ｒF4o-ｒF4i）
ｒF4oは、前記第４のレンズの物体側面の近軸曲率半径、
ｒF4iは、前記第４のレンズの像側面の近軸曲率半径、
である。
【請求項３１】
前記フォーカスレンズ群は、前記第１のレンズユニットの最も物体側に配置されていることを特徴とする請求項５に記載のズームレンズ。
【請求項３２】
最も像側に位置するレンズ群は正の屈折力を有することを特徴とする請求項１から３１のいずれか一項に記載のズームレンズ。
【請求項３３】
前記前群は、第１レンズ群からなり、
広角端から望遠端への変倍に際して、
前記第１レンズ群は、一体となって移動することを特徴とする請求項１から３２のいずれか一項に記載のズームレンズ。
【請求項３４】
前記前群は、第１レンズ群からなり、
前記後群は、前記第１のレンズユニットと、前記第２のレンズユニットと、からなり、
前記第１のレンズユニットは、正の屈折力を有する第２レンズ群と、第３レンズ群と、からなり、
前記第２のレンズユニットは、第４レンズ群からなり、
広角端から望遠端への変倍に際して、各レンズ群の間隔は変化することを特徴とする請求項１から３３のいずれか一項に記載のズームレンズ。
【請求項３５】
請求項１から３４のいずれか一項に記載のズームレンズと、
撮像面を持ち且つ前記ズームレンズにより前記撮像面上に形成された像を電気信号に変換する撮像素子と、を有することを特徴とする撮像装置。
【発明の詳細な説明】
【技術分野】
【０００１】
本発明は、ズームレンズ及びそれを有する撮像装置に関する。
【背景技術】
【０００２】
広い範囲の撮影が可能なレンズとして、広角レンズが知られている。従来の広角レンズとしては、特許文献１、２及び３に開示された広角レンズがある。
【先行技術文献】
【特許文献】
【０００３】
【特許文献１】特開２０１０−０６０６１２号公報
【特許文献２】特開２０１０−１７６０９８号公報
【特許文献３】特開２０１０−２４９９５９号公報
【発明の概要】
【発明が解決しようとする課題】
【０００４】
特許文献１の広角レンズは、光学系の全長に対してバックフォーカスが長いか、あるいは、第１レンズ群の焦点距離に対して広角端での焦点距離が長い。そのため、特許文献１の広角レンズでは、光学系を十分に小型化することが困難であった。
【０００５】
また、特許文献２の広角レンズでは、Ｆナンバーが十分に小さくできていないか、あるいは、Ｆナンバーに比べて画角を十分に広角化できていない。また、第１レンズ群の焦点距離に対して広角端での焦点距離が長い。そのため、特許文献１の広角レンズでは、光学系を十分に小型化することが困難であった。
【０００６】
また、特許文献３の広角レンズでは、最も物体側のレンズ群がフォーカスレンズ群を備えている。このような構成では、フォーカスレンズ群の小型化や軽量化が困難である。また、このようなことから、フォーカスレンズ群の駆動機構も小型化や軽量化が困難となる。その結果、特許文献３の広角レンズでは、フォーカススピードの高速化が困難であった。
【０００７】
本発明は、このような課題に鑑みてなされたものであって、光学系の小型化と軽量化が十分になされ、かつ、Ｆナンバーに比べて十分に広い画角を持ちながらも諸収差が十分に低減されたズームレンズ及びそれを有する撮像装置を提供することを目的とする。
【課題を解決するための手段】
【０００８】
上述した課題を解決し、目的を達成するために、第１の側面の発明のズームレンズは、
物体側から像側に順に、
負の屈折力を有する前群と、
開口絞りを含み正の屈折力を有する後群と、からなり、
前群は、負の屈折力を有する第１のレンズと、負の屈折力を有する第２のレンズと、正の屈折力を有する第３のレンズと、を含み、
第１のレンズは最も物体側に配置され、かつ、その形状は物体側に凸面を向けたメニスカス形状であり、
第２のレンズは第１のレンズよりも像側に配置され、かつ、その形状は物体側に凸面を向けたメニスカス形状であり、
後群は、物体側から像側に順に、第１のレンズユニットと、第２のレンズユニットと、からなる第１の構成を有するか、又は、物体側から像側に順に、第１のレンズユニットと、第２のレンズユニットと、１以上のレンズ群と、からなる第２の構成を有し、
広角端から望遠端への変倍に際して、
前群と後群との間隔は狭くなり、
第１の構成と第２の構成では、第１のレンズユニットと第２のレンズユニットとの間隔は変化し、
第２の構成では、第２のレンズユニットと第２のレンズユニットの像側に位置するレンズ群との間隔、及び、隣接する各レンズ群との間隔が変化し、
第１のレンズユニットは、開口絞りよりも物体側で、第１のレンズユニットの最も物体側に正の屈折力を有するフォーカスレンズ群を有し、
フォーカシングに際して、フォーカスレンズ群のみが光軸に沿って移動し、
変倍時、フォーカスレンズ群の像側に隣接する空間の間隔は、一定又は変化し、
第１のレンズユニットは、物体側から像側に順に、第１のサブレンズユニットと、第２のサブレンズユニットと、からなり、
第１のサブレンズユニットは、フォーカスレンズ群を含み、
変倍に際して、第１のサブレンズユニットと第２のサブレンズユニットとの間隔は変化し、
以下の条件式を満足することを特徴とする。
７２＜νｄFnmax＜１１０
−１．４５＜ＦＢw／ｆF＜−０．３
ここで、
νｄFnmaxは、前群に含まれる負の屈折力を有するレンズのアッベ数のうち、最大となるアッベ数、
ＦＢwは、広角端におけるバックフォーカス、
ｆFは、前群の焦点距離、
である。
【０００９】
また、第２の側面の発明のズームレンズは、
物体側から像側に順に、
負の屈折力を有する前群と、
開口絞りを含み正の屈折力を有する後群と、からなり、
前群は、負の屈折力を有する第１のレンズと、負の屈折力を有する第２のレンズと、正の屈折力を有する第３のレンズと、を含み、
第１のレンズは最も物体側に配置され、かつ、その形状は物体側に凸面を向けたメニスカス形状であり、
第２のレンズは第１のレンズよりも像側に配置され、かつ、その形状は物体側に凸面を向けたメニスカス形状であり、
後群は、物体側から像側に順に、第１のレンズユニットと、第２のレンズユニットと、からなる第１の構成を有するか、又は、物体側から像側に順に、第１のレンズユニットと、第２のレンズユニットと、１以上のレンズ群と、からなる第２の構成を有し、
広角端から望遠端への変倍に際して、
前群と後群との間隔は狭くなり、
第１の構成と第２の構成では、第１のレンズユニットと第２のレンズユニットとの間隔は変化し、
第２の構成では、第２のレンズユニットと第２のレンズユニットの像側に位置するレンズ群との間隔、及び、隣接する各レンズ群との間隔が変化し、
第１のレンズユニットは、開口絞りよりも物体側で、第１のレンズユニットの最も物体側に正の屈折力を有するフォーカスレンズ群を有し、
フォーカシングに際して、フォーカスレンズ群のみが光軸に沿って移動し、
変倍時、フォーカスレンズ群の像側に隣接する空間の間隔は、一定又は変化し、
第１のレンズユニットは、物体側から像側に順に、第１のサブレンズユニットと、第２のサブレンズユニットと、からなり、
第１のサブレンズユニットは、フォーカスレンズ群を含み、
変倍に際して、第１のサブレンズユニットと第２のサブレンズユニットとの間隔は変化し、
以下の条件式を満足することを特徴とする。
７２＜νｄFnmax＜１１０
−１．８＜ｆw×Ｆｎｏwmin／ｆF＜−０．５
ここで、
νｄFnmaxは、前群に含まれる負の屈折力を有するレンズのアッベ数のうち、最大となるアッベ数、
ｆwは、広角端におけるズームレンズ全系の焦点距離、
Ｆｎｏwminは、広角端におけるＦナンバーのうち、最小となるＦナンバー、
ｆFは、前群の焦点距離、
である。
【００１０】
また、第３の側面の発明のズームレンズは、
物体側から像側に順に、
負の屈折力を有する前群と、
開口絞りを含み正の屈折力を有する後群と、からなり、
前群は、負の屈折力を有する第１のレンズと、負の屈折力を有する第２のレンズと、正の屈折力を有する第３のレンズと、を含み、
第１のレンズは最も物体側に配置され、かつ、その形状は物体側に凸面を向けたメニスカス形状であり、
第２のレンズは第１のレンズよりも像側に配置され、かつ、その形状は物体側に凸面を向けたメニスカス形状であり、
後群は、物体側から像側に順に、第１のレンズユニットと、第２のレンズユニットと、からなる第１の構成を有するか、又は、物体側から像側に順に、第１のレンズユニットと、第２のレンズユニットと、１以上のレンズ群と、からなる第２の構成を有し、
広角端から望遠端への変倍に際して、
前群と後群との間隔は狭くなり、
第１の構成と第２の構成では、第１のレンズユニットと第２のレンズユニットとの間隔は変化し、
第２の構成では、第２のレンズユニットと第２のレンズユニットの像側に位置するレンズ群との間隔、及び、隣接する各レンズ群との間隔が変化し、
第１のレンズユニットは、開口絞りよりも物体側で、第１のレンズユニットの最も物体側に正の屈折力を有するフォーカスレンズ群を有し、
フォーカシングに際して、フォーカスレンズ群のみが光軸に沿って移動し、
変倍時、フォーカスレンズ群の像側に隣接する空間の間隔は、一定又は変化し、
第１のレンズユニットは、物体側から像側に順に、第１のサブレンズユニットと、第２のサブレンズユニットと、からなり、
第１のサブレンズユニットは、フォーカスレンズ群を含み、
変倍に際して、第１のサブレンズユニットと第２のサブレンズユニットとの間隔は変化し、
以下の条件式を満足することを特徴とする。
７２＜νｄFnmax＜１１０
−１．６５＜ＦＢw／ｆF＜−０．３
−２．３＜ｆw×Ｆｎｏwmin／ｆF＜−０．７
ここで、
νｄFnmaxは、前群に含まれる負の屈折力を有するレンズのアッベ数のうち、最大となるアッベ数、
ＦＢwは、広角端におけるバックフォーカス、
ｆFは、前群の焦点距離、
ｆwは、広角端におけるズームレンズ全系の焦点距離、
Ｆｎｏwminは、広角端におけるＦナンバーのうち、最小となるＦナンバー、
である。
【００１１】
また、第４の側面の発明のズームレンズは、
物体側から像側に順に、
負の屈折力を有する前群と、
開口絞りを含み正の屈折力を有する後群と、からなり、
前群は、負の屈折力を有する第１のレンズと、負の屈折力を有する第２のレンズと、正の屈折力を有する第３のレンズと、を含み、
第１のレンズは最も物体側に配置され、かつ、その形状は物体側に凸面を向けたメニスカス形状であり、
第２のレンズは第１のレンズよりも像側に配置され、かつ、その形状は物体側に凸面を向けたメニスカス形状であり、
後群は、物体側から像側に順に、第１のレンズユニットと、第２のレンズユニットと、からなる第１の構成を有するか、又は、物体側から像側に順に、第１のレンズユニットと、第２のレンズユニットと、１以上のレンズ群と、からなる第２の構成を有し、
広角端から望遠端への変倍に際して、
前群と後群との間隔は狭くなり、
第１の構成と第２の構成では、第１のレンズユニットと第２のレンズユニットとの間隔は変化し、
第２の構成では、第２のレンズユニットと第２のレンズユニットの像側に位置するレンズ群との間隔、及び、隣接する各レンズ群との間隔が変化し、
第１のレンズユニットは、開口絞りよりも物体側で、第１のレンズユニットの最も物体側に正の屈折力を有するフォーカスレンズ群を有し、
フォーカシングに際して、フォーカスレンズ群のみが光軸に沿って移動し、
変倍時、フォーカスレンズ群の像側に隣接する空間の間隔は、一定又は変化し、
第１のレンズユニットは、物体側から像側に順に、第１のサブレンズユニットと、第２のサブレンズユニットと、からなり、
第１のサブレンズユニットは、フォーカスレンズ群を含み、
変倍に際して、第１のサブレンズユニットと第２のサブレンズユニットとの間隔は変化し、
以下の条件式を満足することを特徴とする。
７２＜νｄFnmax＜１１０
１．２５＜ｆRw／ＦＢw＜５
ここで、
νｄFnmaxは、前群に含まれる負の屈折力を有するレンズのアッベ数のうち、最大となるアッベ数、
ｆRwは、広角端における後群の焦点距離、
ＦＢwは、広角端におけるバックフォーカス、
である。
また、第５の側面の発明のズームレンズは、
物体側から像側に順に、
負の屈折力を有する前群と、
開口絞りを含み正の屈折力を有する後群と、からなり、
前群は、負の屈折力を有する第１のレンズと、負の屈折力を有する第２のレンズと、正の屈折力を有する第３のレンズと、を含み、
第１のレンズは最も物体側に配置され、かつ、その形状は物体側に凸面を向けたメニスカス形状であり、
第２のレンズは第１のレンズよりも像側に配置され、かつ、その形状は物体側に凸面を向けたメニスカス形状であり、
後群は、物体側から像側に順に、第１のレンズユニットと、第２のレンズユニットと、からなる第１の構成を有するか、又は、物体側から像側に順に、第１のレンズユニットと、第２のレンズユニットと、１以上のレンズ群と、からなる第２の構成を有し、
広角端から望遠端への変倍に際して、
前群と後群との間隔は狭くなり、
第１の構成と第２の構成では、第１のレンズユニットと第２のレンズユニットとの間隔は変化し、
第２の構成では、第２のレンズユニットと第２のレンズユニットの像側に位置するレンズ群との間隔、及び、隣接する各レンズ群との間隔が変化し、
第１のレンズユニットは、開口絞りよりも物体側に正の屈折力を有するフォーカスレンズ群を有し、
フォーカシングに際して、フォーカスレンズ群のみが光軸に沿って移動し、
変倍時、フォーカスレンズ群の像側に隣接する空間の間隔は、一定又は変化し、
第１のレンズユニットは、物体側から像側に順に、フォーカスレンズ群と、第２のサブレンズユニットと、からなり、
以下の条件式を満足することを特徴とする。
７２＜νｄFnmax＜１１０
−１．４５＜ＦＢw／ｆF＜−０．３
ここで、
νｄFnmaxは、前群に含まれる負の屈折力を有するレンズのアッベ数のうち、最大となるアッベ数、
ＦＢwは、広角端におけるバックフォーカス、
ｆFは、前群の焦点距離、
である。
【００１２】
また、本発明の撮像装置は、
上記のいずれか１つのズームレンズと、
撮像面を持ち且つズームレンズにより撮像面上に形成された像を電気信号に変換する撮像素子と、を有することを特徴とする。
【発明の効果】
【００１３】
本発明によれば、光学系の小型化と軽量化が十分になされ、かつ、Ｆナンバーに比べて十分に広い画角を持ちながらも諸収差が十分に低減されたズームレンズ及びそれを有する撮像装置を提供できる。
【図面の簡単な説明】
【００１４】
【図１】実施例１に係るズームレンズの無限遠物体合焦時のレンズ断面図であって、（ａ）は広角端、（ｂ）は中間、（ｃ）は望遠端でのレンズ断面図である。
【図２】実施例２に係るズームレンズの無限遠物体合焦時のレンズ断面図であって、（ａ）は広角端、（ｂ）は中間、（ｃ）は望遠端でのレンズ断面図である。
【図３】実施例３に係るズームレンズの無限遠物体合焦時のレンズ断面図であって、（ａ）は広角端、（ｂ）は中間、（ｃ）は望遠端でのレンズ断面図である。
【図４】実施例４に係るズームレンズの無限遠物体合焦時のレンズ断面図であって、（ａ）は広角端、（ｂ）は中間、（ｃ）は望遠端でのレンズ断面図である。
【図５】実施例５に係るズームレンズの無限遠物体合焦時のレンズ断面図であって、（ａ）は広角端、（ｂ）は中間、（ｃ）は望遠端でのレンズ断面図である。
【図６】実施例６に係るズームレンズの無限遠物体合焦時のレンズ断面図であって、（ａ）は広角端、（ｂ）は中間、（ｃ）は望遠端でのレンズ断面図である。
【図７】実施例７に係るズームレンズの無限遠物体合焦時のレンズ断面図であって、（ａ）は広角端、（ｂ）は中間、（ｃ）は望遠端でのレンズ断面図である。
【図８】実施例８に係るズームレンズの無限遠物体合焦時のレンズ断面図であって、（ａ）は広角端、（ｂ）は中間、（ｃ）は望遠端でのレンズ断面図である。
【図９】実施例９に係るズームレンズの無限遠物体合焦時のレンズ断面図であって、（ａ）は広角端、（ｂ）は中間、（ｃ）は望遠端でのレンズ断面図である。
【図１０】実施例１０に係るズームレンズの無限遠物体合焦時のレンズ断面図であって、（ａ）は広角端、（ｂ）は中間、（ｃ）は望遠端でのレンズ断面図である。
【図１１】実施例１１に係るズームレンズの無限遠物体合焦時のレンズ断面図であって、（ａ）は広角端、（ｂ）は中間、（ｃ）は望遠端でのレンズ断面図である。
【図１２】実施例１２に係るズームレンズの無限遠物体合焦時のレンズ断面図であって、（ａ）は広角端、（ｂ）は中間、（ｃ）は望遠端でのレンズ断面図である。
【図１３】実施例１３に係るズームレンズの無限遠物体合焦時のレンズ断面図であって、（ａ）は広角端、（ｂ）は中間、（ｃ）は望遠端でのレンズ断面図である。
【図１４】実施例１にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１５】実施例１にかかるズームレンズの近距離物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１６】実施例２にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１７】実施例２にかかるズームレンズの近距離物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１８】実施例３にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１９】実施例３にかかるズームレンズの近距離物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２０】実施例４にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２１】実施例４にかかるズームレンズの近距離物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２２】実施例５にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２３】実施例５にかかるズームレンズの近距離物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２４】実施例６にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２５】実施例６にかかるズームレンズの近距離物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２６】実施例７にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２７】実施例７にかかるズームレンズの近距離物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２８】実施例８にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２９】実施例８にかかるズームレンズの近距離物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３０】実施例９にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３１】実施例９にかかるズームレンズの近距離物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３２】実施例１０にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３３】実施例１０にかかるズームレンズの近距離物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３４】実施例１１にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３５】実施例１１にかかるズームレンズの近距離物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３６】実施例１２にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３７】実施例１２にかかるズームレンズの近距離物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３８】実施例１３にかかるズームレンズの無限遠物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３９】実施例１３にかかるズームレンズの近距離物体合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図４０】撮像装置の断面図である。
【図４１】撮像装置の概観を示す前方斜視図である。
【図４２】撮像装置の後方斜視図である。
【図４３】撮像装置の主要部の内部回路の構成ブロック図である。
【発明を実施するための形態】
【００１５】
実施例の説明に先立ち、本発明のある態様に係る実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１６】
本実施形態のズームレンズについて説明する。まず、基本構成について説明する。
【００１７】
本実施形態のズームレンズの基本構成では、ズームレンズは、物体側から像側に順に、負の屈折力を有する前群と、開口絞りを含み正の屈折力を有する後群と、からなり、前群は、負の屈折力を有する第１のレンズと、負の屈折力を有する第２のレンズと、正の屈折力を有する第３のレンズと、を含み、第１のレンズは最も物体側に配置され、かつ、その形状は物体側に凸面を向けたメニスカス形状であり、第２のレンズは第１のレンズよりも像側に配置され、かつ、その形状は物体側に凸面を向けたメニスカス形状であり、後群は、物体側から像側に順に、第１のレンズユニットと、第２のレンズユニットと、を有し、広角端から望遠端への変倍に際して、前群と後群との間隔は狭くなり、第１のレンズユニットと第２のレンズユニットとの間隔は変化し、第１のレンズユニットは、開口絞りよりも物体側に正の屈折力を有するフォーカスレンズ群を有し、フォーカシングに際して、フォーカスレンズ群のみが光軸に沿って移動する。
【００１８】
基本構成では、ズームレンズは、物体側から像側に順に、負の屈折力を有する前群と、開口絞りを含み正の屈折力を有する後群と、からなる。これにより、光学系の構成を、レトロフォーカスタイプの構成にすることができる。その結果、超広画角でありながら、適度な長さのバックフォーカスを確保することが容易となる。ここで、超広画角とは、例えば１０５°以上の画角、より好ましくは、１１０°以上の画角のことである。
【００１９】
また、基本構成では、前群は、負の屈折力を有する第１のレンズと、負の屈折力を有する第２のレンズと、正の屈折力を有する第３のレンズと、を含み、第１のレンズは最も物体側に配置され、かつ、その形状は物体側に凸面を向けたメニスカス形状であり、第２のレンズは第１のレンズよりも像側に配置され、かつ、その形状は物体側に凸面を向けたメニスカス形状である。
【００２０】
上述のように、前群は負の屈折力を有している。そこで、前群の負の屈折力を大きくすると、光学系の径を小さくすることができる。ただし、像面湾曲と非点収差の発生量は、軸外主光線の高さが高くなるにつれて増加する傾向を示す。ここで、超広画角な光学系では、軸外主光線の高さは前群を通過するときに最も高くなる。そのため、前群の負の屈折力を大きくすると、画角を超広画角にした場合に、像面湾曲と非点収差の発生量が増加しやすくなる。
【００２１】
そこで、前群に、負の屈折力を有する第１のレンズと、負の屈折力を有する第２のレンズと、を配置している。そして、第１のレンズを前群の最も物体側に配置すると共に、第１のレンズの形状を物体側に凸面を向けたメニスカス形状にしている。また、第２のレンズを第１のレンズよりも像側に配置すると共に、第２のレンズの形状を物体側に凸面を向けたメニスカス形状にしている。
【００２２】
これにより、軸外の主光線の高さが最も高くなる前群において、開口絞り側に凹面を向けたメニスカスレンズが２つ配置されることになる。このようにすることで、前群における負の屈折力を大きくしつつ、軸外光線を徐々に屈折することができる。すなわち、急激な光線の屈折を抑制することができる。この結果、像面湾曲と非点収差の発生量を低減しつつ、画角を超広画角にすることができる。
【００２３】
更に、前群に、正の屈折力を有する第３のレンズを配置している。このようにすることで、軸上色収差と倍率色収差の発生を抑制できる。また、望遠端付近における球面収差の発生量を軽減できる。
【００２４】
また、広角端から望遠端への変倍に際して、前群と後群との間隔は狭くなる。このようにすることで、大きな変倍作用を得ることができる。なお、前群と後群との間隔は、近軸上の間隔である。
【００２５】
また、後群は、物体側から像側に順に、第１のレンズユニットと、第２のレンズユニットと、を有する。そして、広角端から望遠端への変倍に際して、第１のレンズユニットと第２のレンズユニットとの間隔が変化する。なお、第１のレンズユニットと第２のレンズユニットとの間隔は、近軸上の間隔である。
【００２６】
上述のように、基本構成では、光学系の構成がレトロフォーカスタイプの構成になっている。レトロフォーカスタイプの構成において、更に光学系を細径化するには、前群の負の屈折力を大きくする必要がある。特に、超広画角ズームレンズにおいて、例えば、１．９倍以上の変倍比を確保した上で、光学系の全長を短縮するには、前群のみならず、後群の屈折力を大きくする必要がある。
【００２７】
ここで、前群の負の屈折力を大きくしすぎると、前群において大きな正の像面湾曲が発生し、かつ、変倍時に、軸外収差、特に非点収差が変動し易くなる。そこで、光学系の小型化を維持しつつ、収差の発生量の低減や収差の変動を抑制するために、後群内で収差を良好に補正しておく必要がある。
【００２８】
このようなことから、後群は、物体側から像側に順に、第１のレンズユニットと、第２のレンズユニットと、を有する。これにより、後群内での収差を良好に補正することができる。また、変倍時に、非点収差の変動を少なくすることができる。
【００２９】
そして、広角端から望遠端への変倍に際して、第１のレンズユニットと第２のレンズユニットとの間隔が変化する。これにより、変倍時に、収差の変動を少なくすることができる。
【００３０】
なお、第１のレンズユニットと第２のレンズユニットの両方に正レンズを配置し、正レンズの屈折力を大きくすることが好ましい。このようにすることで、像面湾曲の発生量を低減することができる。
【００３１】
また、第１のレンズユニットは、開口絞りよりも物体側に正の屈折力を有するフォーカスレンズ群を有し、フォーカシングに際して、フォーカスレンズ群のみが光軸上を移動する。
【００３２】
第１レンズユニットにおいて、開口絞りよりも物体側に正の屈折力を有するフォーカスレンズ群を配置すると、広角端付近で、開口絞りの近傍にフォーカスレンズ群が位置することになる。ここで、開口絞りの近傍では光束径が小さくなる。よって、後群の中でレンズ径がより小さくなる場所に、フォーカスレンズ群を配置することができる。その結果、フォーカスレンズ群を小径化することができる。
【００３３】
また、フォーカシングに際して、フォーカスレンズ群のみが、光軸に沿って移動する。このようにすると、開口絞りよりも像側には、フォーカシングの際に移動するレンズ群が存在しない。そのため、開口絞りよりも像側に、所定のスペースを確保する必要がなくなる。その結果、開口絞りよりも像側に位置するレンズ群を小径化することができる。なお、所定のスペースとは、フォーカシングの際にレンズ群が移動するために必要なスペースである。
【００３４】
また、超広画角な光学系では、より広い範囲を撮影することが可能である。このような光学系では、フォーカシングに際して発生する像面湾曲の変動が、結像性能を悪化させる大きな要因になる。特に、メリディオナル面における像面湾曲の変動は、近距離物体合焦時における結像性能を大きく悪化させる要因となる。
【００３５】
前群は、メリディオナル面における像面湾曲を大きく発生させている。そのため、フォーカシングに際して、前群を通る周辺光線の高さが変動すると、メリディオナル面における像面湾曲の変動も大きくなる。特に、近距離物体合焦時では、前群を通る周辺光線の高さが大きく変動する。
【００３６】
そこで、フォーカスレンズ群を、開口絞りより物体側に配置する。このようにすると、フォーカスレンズ群は前群より像側に位置する。ここで、周辺光線の高さは、前群内に比べて前群よりも像側で低くなっている。よって、フォーカスレンズ群では、周辺光線の高さが低くなる。
【００３７】
この場合、フォーカスレンズ群が移動しても、前群を通る周辺光線の高さの変動を小さく抑えることができる。これにより、メリディオナル面における像面湾曲の変動も抑えることができる。その結果、近距離物体へのフォーカシングに際しても、光学系の結像性能を高く維持することができる。
【００３８】
また、フォーカスの感度は、フォーカスレンズ群の倍率と所定のレンズ群の倍率とに影響される。ここで、所定のレンズ群は、フォーカスレンズ群の像側面から像面までの間に位置するレンズ群である。そこで、開口絞りよりも物体側にフォーカスレンズ群を配置し、所定のレンズ群の倍率を適切に設定することによって、フォーカスの感度を高めることができる。その結果、フォーカスレンズ群の移動量を少なくすることができる。
【００３９】
また、フォーカスレンズ群の移動量を少なくできるので、フォーカシングの際に、前群における周辺光線の高さの変動を少なくすることができる。そのため、メリディオナル面における像面湾曲の変動を抑えることができる。この結果、近距離物体合焦時においても、光学系の結像性能を高く維持することができる。
【００４０】
その結果、近距離物体へのフォーカシングに際しても、良好な光学性能を維持することができる。また、フォーカスレンズ群の小型化と軽量化が実現できる。これにより、フォーカススピードの高速化と、フォーカスレンズ群の駆動機構の軽量化と少スペース化ができる。
【００４１】
なお、開口絞りの近くでは、軸上光線と周辺光線との分離量が少ない。そこで、開口絞りの近くにフォーカスレンズ群を配置することが好ましい。この位置では、軸上光束の光束径が大きくなっている。軸上光束の光束径が大きいと、より効果的にフォーカスレンズ群の倍率を高めることができる。
【００４２】
このように、開口絞りの近くにフォーカスレンズ群を配置すると、より効果的にフォーカスレンズ群の倍率を高められる箇所、すなわち、軸上光束が太い箇所でフォーカスできる。そのため、この位置でフォーカシングすることで、フォーカスの感度を高めつつ、前群における周辺光線の高さの変動を少なくすることができる。
【００４３】
次に、本実施形態における好ましい態様について説明する。
【００４４】
第１実施形態のズームレンズは、上述の基本構成を備えると共に、以下の条件式（１）、（２）を満足することが好ましい。
７２＜νｄFnmax＜１１０      （１）
−１．４５＜ＦＢw／ｆF＜−０．３      （２）
ここで、
νｄFnmaxは、前群に含まれる負の屈折力を有するレンズのアッベ数のうち、最大となるアッベ数、
ＦＢwは、広角端におけるバックフォーカス、
ｆFは、前群の焦点距離、
である。
【００４５】
条件式（１）の下限値を上回ることで、前群で発生する倍率色収差の発生量を低減することができる。また、条件式（１）の上限値を下回ることで、硝材の選択の自由度を広く確保することができる。
【００４６】
条件式（２）の下限値を上回ることで、広角端におけるバックフォーカスを短くすることができる。その結果、光学系を小型化することができる。また、前群の屈折力が大きくなりすぎることを抑制できるので、像面湾曲と非点収差の発生量を低減することができる。
【００４７】
また、条件式（２）の上限値を下回ることで、前群の屈折力を適切に設定することができる。その結果、光学系を小径化することができる。
【００４８】
第２実施形態のズームレンズは、上述の基本構成を備えると共に、以下の条件式（１）、（３）を満足することが好ましい。
７２＜νｄFnmax＜１１０      （１）
−１．８＜ｆw×Ｆｎｏwmin／ｆF＜−０．５      （３）
ここで、
νｄFnmaxは、前群に含まれる負の屈折力を有するレンズのアッベ数のうち、最大となるアッベ数、
ｆwは、広角端におけるズームレンズ全系の焦点距離、
Ｆｎｏwminは、広角端におけるＦナンバーのうち、最小となるＦナンバー、
ｆFは、前群の焦点距離、
である。
【００４９】
条件式（１）の技術的意義は上述したので、説明は省略する。
【００５０】
条件式（３）の下限値を上回ることで、小径かつＦナンバーが小さいズームレンズでありながら、画角を超広画角にすることが可能となる。また、条件式（３）の上限値を下回ることで、前群を小径化することができる。
【００５１】
第３実施形態のズームレンズは、上述の基本構成を備えると共に、以下の条件式（１）、（２−１）及び（３−１）を満足することが好ましい。
７２＜νｄFnmax＜１１０      （１）
−１．６５＜ＦＢw／ｆF＜−０．３      （２−１）
−２．３＜ｆw×Ｆｎｏwmin／ｆF＜−０．７      （３−１）
ここで、
νｄFnmaxは、前群に含まれる負の屈折力を有するレンズのアッベ数のうち、最大となるアッベ数、
ＦＢwは、広角端におけるバックフォーカス、
ｆFは、前群の焦点距離、
ｆwは、広角端におけるズームレンズ全系の焦点距離、
Ｆｎｏwminは、広角端におけるＦナンバーのうち、最小となるＦナンバー、
である。
【００５２】
条件式（１）の技術的意義は上述したので、説明は省略する。
【００５３】
条件式（２−１）の技術的意義は、条件式（２）の技術的意義と同じである。なお、条件式（２−１）の下限値を上回ることで、後群の屈折力を大きくすることができる。そのため、光学系の全長を短くすることができる。また、条件式（２−１）の上限値を下回ることで、前群の屈折力を大きくすることができる。そのため、光学系を小径化することができる。
【００５４】
また、条件式（３−１）の技術的意義は、条件式（３）の技術的意義と同じなので、説明は省略する。
【００５５】
第４実施形態のズームレンズは、上述の基本構成を備えると共に、以下の条件式（１）、（４）を満足することが好ましい。
７２＜νｄFnmax＜１１０      （１）
１．２５＜ｆRw／ＦＢw＜５      （４）
ここで、
νｄFnmaxは、前群に含まれる負の屈折力を有するレンズのアッベ数のうち、最大となるアッベ数、
ｆRwは、広角端における後群の焦点距離、
ＦＢwは、広角端におけるバックフォーカス、
である。
【００５６】
条件式（１）の技術的意義は上述したので、説明は省略する。
【００５７】
条件式（４）の下限値を上回ることで、広角端における後群の屈折力を適切に確保しつつ、球面収差と軸上色収差の発生量を低減することができる。また、広角端におけるバックフォーカスを短くできるため、光学系の全長を短くすることができる。更に、前群の屈折力を大きくすることができるため、光学系を小径化することができる。
【００５８】
また、条件式（４）の上限値を下回ることで、後群の屈折力を適切に確保しつつ、光学系の全長を短くすることができる。更に、後群の正の屈折力を大きくすることで、像面湾曲の発生量を低減することができる。
【００５９】
第１〜第４実施形態のズームレンズにおける好ましい態様について説明する。以下の説明では、第１〜第４実施形態のズームレンズを、単に「本実施形態のズームレンズ」という。
【００６０】
本実施形態のズームレンズでは、前群は、更に、負の屈折力を有する第４のレンズを含むことが好ましい。
【００６１】
このようにすることで、前群内での球面収差を良好に補正でき、また、変倍時の球面収差の変動を抑えることができる。その結果、変倍域の全域で良好な光学性能が得られる。また、像面湾曲、非点収差及び倍率色収差の発生を抑制しながら、前群の屈折力を大きくすることができる。この結果、入射瞳がより物体側に位置するため、前群を小径化することができる。なお、前群は、更に、負の屈折力を有するレンズを含んでいても良い。このようにすることで、上述の効果をより大きくすることができる。
【００６２】
また、負の屈折力を有するレンズは、正の屈折力を有するレンズの近傍に配置されることが好ましい。例えば、第４のレンズは第３のレンズの近傍に配置されることが好ましい。このようにすることで、上述の効果をより大きくすることができる。
【００６３】
また、本実施形態のズームレンズでは、前群は、更に、負の屈折力を有する第４のレンズを含み、第４のレンズの形状はメニスカス形状であることが好ましい。
【００６４】
このようにすることで、前群には、メニスカスレンズが３つ配置されることになる。この場合、超広画角で前群に入射してくる光線を、３枚のメニスカスレンズにより、徐々に光線を屈折させることができる。また、各メニスカスレンズでは、レンズへ入射する光線の角度を小さく抑えながら、徐々に光線を屈折させることができる。このため、各メニスカスレンズにおいて、像面湾曲、非点収差及び倍率色収差の発生を抑制することができる。なお、前群は、更に、負メニスカスレンズを含んでいても良い。このようにすることで、上述の効果をより大きくすることができる。
【００６５】
また、本実施形態のズームレンズでは、前群は、更に、負の屈折力を有する第４のレンズを含み、第４のレンズの形状は、物体側に凸面を向けたメニスカス形状であることが好ましい。
【００６６】
このようにすることで、前群には、第１のレンズと第２のレンズ以外に、負メニスカスレンズが配置されることになる。ここで、３つの負メニスカスレンズは、いずれも、物体側に凸面を、すなわち、像側に凹面を向けている。この場合、更に前群の負屈折力を大きくしつつ、急激な光線の屈折を抑制することができる。そのため、像面湾曲と非点収差の発生量を軽減できる。その結果、更なる超広画角化と光学系の小径化が容易になる。なお、前群は、更に、物体側に凸面を向けた負メニスカスレンズを含んでいても良い。このようにすることで、上述の効果をより大きくすることができる。
【００６７】
また、本実施形態のズームレンズでは、第４のレンズは、第２のレンズよりも像側に配置されていることが好ましい。
【００６８】
これにより、像面湾曲、非点収差及び倍率色収差の発生量を低減しながら、前群の屈折力を大きくすることができる。また、入射瞳がより物体側に位置するため、前群を小径化することができる。
【００６９】
また、本実施形態のズームレンズでは、以下の条件式（５）を満足することが好ましい。
１．１＜｜ｒF1i／ｆF｜＜３      （５）
ここで、
ｒF1iは、第１のレンズの像側面の近軸曲率半径、
ｆFは、前群の焦点距離、
である。
【００７０】
条件式（５）の下限値を上回ることで、第１のレンズの屈折力が大きくなりすぎることを抑制できる。その結果、像面湾曲、非点収差及び歪曲収差の発生量を低減することができる。また、前群の総厚みを薄くできるので、光学系の全長を短縮することができる。
【００７１】
条件式（５）の上限値を下回ることで、第１のレンズの屈折力が大きくなる。この場合、前群におけるレンズ径が小さくなるので、光学系を小型化することができる。また、像面湾曲と非点収差の発生量を低減しつつ、前群の屈折力を大きくすることができる。
【００７２】
また、本実施形態のズームレンズでは、以下の条件式（６）を満足することが好ましい。
０．５３＜θgFFn＜０．５５      （６）
ここで、
θgFFnは、前群に含まれる負の屈折力を有するレンズのうち、アッベ数の値が最も大きいレンズにおける部分分散比であって、θgFFn＝（ｎg−ｎF）／（ｎF−ｎc）で表され、
ｎg、ｎF、ｎcは、それぞれ、アッベ数の値が最も大きいレンズのｇ線、Ｆ線、Ｃ線での屈折率、
である。
【００７３】
条件式（６）を満足することで、前群に用いる硝材の選択の自由度を広く確保しつつ、前群内での倍率色収差の発生を抑制することができる。
【００７４】
また、本実施形態のズームレンズでは、以下の条件式（７）を満足することが好ましい。
０．０１＜θgFFn＋０．００１６×νｄ−０．６４１５＜０．０５４      （７）
ここで、
θgFFnは、前群に含まれる負の屈折力を有するレンズのうち、アッベ数の値が最も大きいレンズにおける部分分散比であって、θgFFn＝（ｎg−ｎF）／（ｎF−ｎc）で表され、
ｎg、ｎF、ｎcは、それぞれ、アッベ数の値が最も大きいレンズのｇ線、Ｆ線、Ｃ線での屈折率、
νｄは、アッベ数の値が最も大きいレンズのアッベ数、
である。
【００７５】
前群には、主に像面湾曲と非点収差の発生を抑制するために、負の屈折力を有するレンズが複数枚用いられている。ただし、負の屈折力を有するレンズによって、主に軸上色収差、倍率色収差及び球面収差が発生する場合がある。そこで、前群に正の屈折力を有するレンズを配置することで、これらの収差の発生量を低減することが容易になる。その結果、高い光学性能の確保が容易となる。
【００７６】
ここで、前群の負の屈折力を大きくしつつ、色収差を良好に補正するには、正の屈折力を有するレンズの分散が、高分散であることが好ましい。しかしながら、正の屈折力を有するレンズの分散が高分散であると、２次スペクトルが大きく発生する場合がある。そのため、前群の負の屈折力を有するレンズには、２次スペクトルの発生量を低減できる特性を持つ硝材を使うことが、色収差の補正に対して有効となる。
【００７７】
条件式（７）の下限値を上回ることで、前群内で発生する２次スペクトルの量を低減することができる。その結果、軸上色収差と倍率色収差の発生量を低減することができる。
【００７８】
条件式（７）の上限値を下回ることで、前群内で発生する２次スペクトルの量が、補正過剰となることを抑制することができる。その結果、軸上色収差と倍率色収差のバランスをとることが可能となる。
【００７９】
また、本実施形態のズームレンズでは、以下の条件式（８）を満足することが好ましい。
０．０６＜ＦＢw／ＬＴＬw＜０．２０      （８）
ここで、
ＦＢwは、広角端におけるバックフォーカス、
ＬＴＬwは、広角端におけるズームレンズの最も物体側の面から像面までの軸上距離、である。
【００８０】
条件式（８）の下限値を上回ることで、広角端において、バックフォーカスに対して光学系の全長を短くすることができる。その結果、光学系の全長を短縮することができる。なお、軸上距離は、近軸上の距離である。
【００８１】
条件式（８）の上限値を下回ることで、広角端において、光学系の全長に対してバックフォーカスを短くすることができる。その結果、光学系の全長を短縮することができる。また、光学系内に光学素子を配置する場合に、光学素子を配置するスペースを十分に確保することが可能となる。そのため、変倍域の全域で、高い光学性能を確保し易くなる。
【００８２】
また、本実施形態のズームレンズでは、以下の条件式（９）を満足することが好ましい。
１．９＜ＳＰF1＜９．０      （９）
ここで、
ＳＰF1＝（ｒF1o＋ｒF1i）／（ｒF1o−ｒF1i）
ｒF1oは、第１のレンズの物体側面の近軸曲率半径、
ｒF1iは、第１のレンズの像側面の近軸曲率半径、
である。
【００８３】
条件式（９）の下限値を上回ることで、第１のレンズにおいて、物体側面と像側面との曲率差が大きくなりすぎることを抑制できる。その結果、非点収差の発生量を低減することができる。
【００８４】
条件式（９）の上限値を下回ることで、第１のレンズにおいて、物体側面と像側面の曲率差が小さくなりすぎることを抑制できる。この場合、第１のレンズにおいて適切な大きさの屈折力を確保できるので、後群へ入射する光線の高さを低くできる。その結果、後群のレンズ径を小さくすることができる。また、前群の負の屈折力をある程度小さくできるので、物体側面の面頂が物体側に位置することを抑制できる。その結果、光学系の全長を短くするとともに、光学系を小径化することができる。
【００８５】
また、本実施形態のズームレンズでは、前群中のレンズであって、物体側に凸面を向けたメニスカス形状のレンズのうち、少なくとも一つのレンズは、以下の条件式（１０）を満足する非球面を有することが好ましい。
３０°＜ＡＳＰRθ＜７０°      （１０）
ここで、
ＡＳＰRθは、少なくとも一つのレンズの像側の面の所定の位置における面の傾き、
所定の位置は、少なくとも一つのレンズにおいて有効口径が最大となる位置、
面の傾きは、所定の位置における面の接線と光軸とが交わる角度、
である。
【００８６】
条件式（１０）の下限値を上回ることで、非点収差と歪曲収差の発生量を低減することができる。条件式（１０）の上限値を下回ることで、倍率色収差の発生量を低減することができる。
【００８７】
また、本実施形態のズームレンズでは、変倍に際して、前群は移動することが好ましい。
【００８８】
これにより、像面湾曲の発生量を変倍域の全域で低減することができる。
【００８９】
また、本実施形態のズームレンズでは、第１のレンズユニットは、物体側から像側に順に、第１のサブレンズユニットと、第２のサブレンズユニットと、からなり、変倍に際して、第１のサブレンズユニットと第２のサブレンズユニットとの間隔は一定であることが好ましい。
【００９０】
この場合、変倍に際して、第１のレンズユニット内のレンズ間隔は、いずれも不変になる。そのため、第１のレンズユニット内に、レンズの移動に必要なスペースを設ける必要がない。その結果、第１のレンズユニットを小型化することができる。また、鏡筒の構造をより簡単にできるので、鏡筒の小径化がより容易になる。なお、第１のサブレンズユニットと第２のサブレンズユニットとの間隔は、近軸上の間隔である。
【００９１】
また、変倍の際に、移動方向や移動量が各レンズで異なると、場合によっては、レンズの移動に必要なスペースを余分に設ける必要が生じる。その結果、第１のレンズユニットの全長が変化することがある。これに対して、第１のレンズユニットが一体となって移動すると、第１のレンズユニット内の全てのレンズが、同じ方向に、同じ量だけ移動する。この場合、第１のレンズユニットの全長は変化しない。よって、第１のレンズユニットを小型化することができる。
【００９２】
また、本実施形態のズームレンズでは、第１のレンズユニットは、物体側から像側に順に、第１のサブレンズユニットと、第２のサブレンズユニットと、からなり、変倍に際して、第１のサブレンズユニットと第２のサブレンズユニットとの間隔は変化することが好ましい。
【００９３】
このようにすると、第１のサブレンズユニットと、第２のサブレンズユニットの２つのレンズユニットによって、変倍比を負担することができる。この場合、変倍時における、第１のサブレンズユニットと、第２のサブレンズユニットの移動量を抑えることができる。そのため、光学系の全長を短縮することができる。
【００９４】
また、第１のレンズユニットを、第１のサブレンズユニットと第２のサブレンズユニットとで構成することで、両者に変倍作用を持たせることができる。この場合、所望の変倍比を得るために必要な倍率を、第１のサブレンズユニットと第２のサブレンズユニットとで負担することができる。そのため、変倍時における移動量を、第１のサブレンズユニットと第２のサブレンズユニットの両方で小さく抑えることができる。その結果、光学系の全長を短縮することができる。なお、第１のサブレンズユニットと第２のサブレンズユニットとの間隔は、近軸上の間隔である。
【００９５】
また、変倍に際しては、球面収差の変動が生じやすい。そこで、２つのサブレンズユニットの間隔を変化させることで、主に、球面収差の変動を抑制する効果を得ることができる。このようにすることは、高変倍化に有効である。また、像面湾曲の変動量についても低減することができる。
【００９６】
また、本実施形態のズームレンズでは、第１のサブレンズユニットの一部がフォーカスレンズ群であって、変倍に際して、フォーカスレンズ群は、第１のサブレンズユニットと一体で移動することが好ましい。
【００９７】
このようにすることで、変倍については、フォーカスレンズ群の移動の簡素化を図ることができる。また、フォーカシングに際しては、フォーカスレンズ群のみが移動するので、フォーカスレンズ群の軽量化を図ることができる。また、フォーカスレンズ群の駆動機構も小型化や軽量化ができる。その結果、高速で消費電力の少ないフォーカス駆動が可能になる。
【００９８】
また、本実施形態のズームレンズでは、第１のサブレンズユニット全体がフォーカスレンズ群であることが好ましい。
【００９９】
後群は開口絞りを有しているので、第１のサブレンズユニットを、開口絞りの近傍に位置させることができる。そのため、第１のサブレンズユニット全体をフォーカスレンズ群にすることで、フォーカスレンズ群が開口絞りの近傍に位置する。
【０１００】
開口絞りの近傍では軸外光線の高さが低くなっている。そのため、フォーカスレンズ群を通過する軸外光線では、変倍に伴う光線の高さや角度の変化が少なくなる。その結果、軸外収差、特にコマ収差の変動量を、変倍域の全域で低減することができる。
【０１０１】
また、このようにすることで、変倍時の駆動機構とフォーカス時の駆動機構とを共通にすることできる。そのため、鏡枠構造の簡素化と小型化ができる。
【０１０２】
また、本実施形態のズームレンズでは、第１のサブレンズユニットは、正の屈折力を有することが好ましい。
【０１０３】
後群は開口絞りを有しているので、開口絞りよりも物体側に正の屈折力を有する第１のサブレンズユニットが配置することができる。この場合、開口絞りよりも像側に第２のサブレンズユニットが配置されることになる。このようにすることで、球面収差とコマ収差の補正が容易にできる。
【０１０４】
また、第１のサブレンズユニットは正の屈折力を有するので、光束を収束する効果を有する。そこで、後群において、第１のサブレンズユニットを最も物体側に配置することで、後群全体を容易に小径化することができる。また、後群での軸上光線の高さを低く抑えることができるため、球面収差の発生量を低減することができる。
【０１０５】
また、本実施形態のズームレンズでは、第１のレンズユニットは、物体側から像側に順に、フォーカスレンズ群と、第２のサブレンズユニットと、を有し、変倍に際して、フォーカスレンズ群と第２のサブレンズユニットとの間隔は変化することが好ましい。
【０１０６】
これにより、変倍時における像面湾曲の変動量を低減することができる。なお、フォーカスレンズ群と第２のサブレンズユニットとの間隔は、近軸上の間隔である。
【０１０７】
また、本実施形態のズームレンズでは、第１のレンズユニットは手ぶれ低減レンズユニットを有し、手ぶれ低減レンズユニットを光軸と垂直な方向に移動させることにより、手ぶれによる像のぶれを低減することが好ましい。
【０１０８】
手ぶれによって、像ぶれが生じる。そこで、手ぶれ低減レンズユニットを光軸と垂直な方向に移動させることで、像ぶれの補正を行う。上述のように、前群が負の屈折力を有している。そこで、前群の像側に手ぶれ低減レンズユニットを配置し、手ぶれ低減レンズユニットに正の屈折力を持たせる。このようにすることで、手ぶれ低減レンズユニットの倍率を高めることができる。すなわち、手ぶれ低減レンズユニットの移動量に対して、像の移動量をより大きくすることができる。この結果、手ぶれ低減の感度を高めることができる。
【０１０９】
また、本実施形態のズームレンズでは、手ぶれ低減レンズユニットは、フォーカスレンズ群よりも像側に配置されていることが好ましい。
【０１１０】
手ぶれ低減レンズユニットは、より高速で移動できる方が好ましい。また、移動範囲も狭いほうが好ましい。そのためには、手ぶれ低減レンズユニットの径は、できるだけ小さいことが望ましい。すなわち、光束がより細くなっている位置にあるレンズ（レンズユニット）を、手ぶれ低減レンズユニットとすることが望ましい。
【０１１１】
フォーカスレンズ群から出射した光束は、開口絞りを通過する。よって、フォーカスレンズ群よりも像側では、光束径が小さくなっている。そこで、ここに手ぶれ低減レンズユニットを配置することで、手ぶれ低減レンズユニットの径を小さくすることができる。その結果、より良好に像ぶれの低減が行える。
【０１１２】
また、本実施形態のズームレンズでは、第１のサブレンズユニットに、手ぶれ低減レンズユニットが配置され、手ぶれ低減レンズユニットを光軸と垂直な方向に移動させることにより、手ぶれによる像のぶれを低減することが好ましい。
【０１１３】
手ぶれ低減レンズユニットは、より高速で移動できる方が好ましい。また、移動範囲も狭いほうが好ましい。そのためには、手ぶれ低減レンズユニットの径は、できるだけ小さいことが望ましい。すなわち、光束がより細くなっている位置にあるレンズ（レンズユニット）を、手ぶれ低減レンズユニットとすることが望ましい。
【０１１４】
後群は開口絞りを有しているので、第１のサブレンズユニットを開口絞りの近傍に配置することができる。よって、第１のサブレンズユニットに手ぶれ低減レンズユニットを配置することで、手ぶれ低減レンズユニットを開口絞りの近くに配置することができる。このようにすることで、より効果的に手ぶれ低減レンズユニットの倍率を高められる箇所、すなわち、軸上光束が太い箇所で手ぶれ低減ができる。この結果、手ぶれ低減レンズユニットの感度を高めることができる。
【０１１５】
また、本実施形態のズームレンズでは、手ぶれ低減レンズユニットは、負の屈折力を有することが好ましい。
【０１１６】
これにより、手ぶれ低減レンズユニットが、より光束が細くなった部分に位置することとなる。その結果、手ぶれ低減レンズユニットの径や移動範囲を少なくできる。
【０１１７】
また、本実施形態のズームレンズでは、以下の条件式（１１）を満足することが好ましい。
−２５＜ＤＴＬw＜７      （１１）
ここで、
ＤＴＬwは、広角端における最大画角でのディストーションであって、ＤＴＬw＝（ＩＨw1−ＩＨw2）／ＩＨw2×１００（％）で表され、
ＩＨw1は、無限物点からの広角端での最大画角が像面に結像する実像高、
ＩＨw2は、無限物点からの広角端での最大画角が像面の結像する近軸像高、
である。
【０１１８】
ディストーションの発生量を適切に設定することで、前群の屈折力を大きくして超広画角化と光学系の全長の短縮を図りつつ、光学系を小径化することができる。
【０１１９】
条件式（１１）の下限値を上回ることで、樽型ディストーションの発生量を低減することができる。その結果、パースペクティブ効果を強めることができる。また、電気的にディストーションを補正した場合、画像周辺部の画像が大きく引き伸ばされることにより画像が劣化することがあるが、この劣化を抑制することができる。
【０１２０】
条件式（１１）の上限値を下回ることで、前群を小径化することができる。その結果、光学系を小型化することができる。
【０１２１】
また、本実施形態のズームレンズは、所定のレンズ群を有し、所定のレンズ群は、フォーカスレンズ群の像側面から像面までの間に位置するレンズ群であって、以下の条件式（１２）を満足することが好ましい。
０．１０＜｜ＭＧfob2×（ＭＧfo2−１）｜＜３．０      （１２）
ここで、
ＭＧfoは、任意の位置でのフォーカスレンズ群の横倍率、
ＭＧfobは、任意の位置と同位置での、所定のレンズ群の横倍率、
である。
【０１２２】
条件式（１２）の下限値を上回ることで、フォーカスレンズ群の移動量を少なくすることができる。その結果、光学系の全長を短縮することができる。条件式（１２）の上限値を下回ることで、フォーカスレンズ群の位置制御が容易にできる。その結果、正確な合焦をすることができる。
【０１２３】
また、本実施形態のズームレンズでは、以下の条件式（１３）を満足することが好ましい。
−２．０＜ｆF／（ｆw×ｆt）1/2＜−１．０      （１３）
ｆFは、前群の焦点距離、
ｆwは、広角端におけるズームレンズ全系の焦点距離、
ｆtは、望遠端におけるズームレンズ全系の焦点距離、
である。
【０１２４】
条件式（１３）は、前群の焦点距離と広角端および望遠端の焦点距離の積との比に関するものである。
【０１２５】
条件式（１３）の下限値を上回ることで、前群の屈折力が大きくなりすぎることを抑制することができる。その結果、広角端における非点収差と倍率色収差の発生量を低減することができる。
【０１２６】
条件式（１３）の上限値を下回ることで、前群の屈折力を適度に大きくすることができるので、入射瞳をより物体側に位置させることができる。その結果、前群を小径化することができる。
【０１２７】
また、本実施形態のズームレンズでは、以下の条件式（１４）を満足することが好ましい。
１．６＜ＳＰF2＜６      （１４）
ここで、
ＳＰF2＝（ｒF2o＋ｒF2i）／（ｒF2o−ｒF2i）
ｒF2oは、第２のレンズの物体側面の近軸曲率半径、
ｒF2iは、第２のレンズの像側面の近軸曲率半径、
である。
【０１２８】
条件式（１４）の下限値を上回ることで、広角端において、バックフォーカスに対して光学系の全長を短くすることができる。その結果、光学系の全長を短縮することができる。
【０１２９】
条件式（１４）の上限値を下回ることで、広角端において、光学系の全長に対してバックフォーカスを短くすることができる。その結果、光学系の全長を短縮することができる。また、光学系内に光学素子を配置する場合に、光学素子を配置するスペースを十分に確保することが容易になる。そのため、変倍域全域における光学性能を良好にすることができる。
【０１３０】
また、本実施形態のズームレンズでは、以下の条件式（１５）を満足することが好ましい。
０．５＜ＳＰF4＜６．０      （１５）
ここで、
ＳＰF4＝（ｒF4o＋ｒF4i）／（ｒF4o-ｒF4i）
ｒF4oは、第４のレンズの物体側面の近軸曲率半径、
ｒF4iは、第４のレンズの像側面の近軸曲率半径、
である。
【０１３１】
条件式（１５）の下限値を上回ることで、広角端において、バックフォーカスに対して光学系の全長を短くすることができる。その結果、光学系の全長を更に短縮することができる。
【０１３２】
条件式（１５）の上限値を下回ることで、広角端において、光学系の全長に対してバックフォーカスを短くすることができる。その結果、光学系の全長を更に短縮することができる。また、光学系内に光学素子を配置する場合に、光学素子を配置するスペースを十分に確保することが容易になる。そのため、変倍域全域における光学性能を良好にすることができる。
【０１３３】
また、本実施形態のズームレンズでは、フォーカスレンズ群は、第１のレンズユニットの最も物体側に配置されていることが好ましい。
【０１３４】
後群は開口絞りを有しているので、周辺光線の高さは、前群内に比べて開口絞りの位置で低くなっている。また、後群では、第１のレンズユニットは物体側に配置されている。そこで、フォーカスレンズ群を第１のレンズユニットの最も物体側に配置することで、フォーカスレンズ群では、周辺光線の高さが低くなる。
【０１３５】
この場合、フォーカスレンズ群が移動しても、前群を通る周辺光線の高さの変動を小さく抑えることができる。これにより、メリディオナル面における像面湾曲の変動も抑えることができる。その結果、近距離物体へのフォーカシングに際しても、光学系の結像性能を高く維持することができる。
【０１３６】
また、本実施形態のズームレンズでは、最も像側に位置するレンズ群は正の屈折力を有することが好ましい。
【０１３７】
超広画角化、光学系の小型化及び光学系の小径化のためには、前群の屈折力を大きくすることが必要であるが、前群の屈折力を大きくすると、前群で大きな正の像面湾曲が生じる。そこで、最も像側に正の屈折力を有するレンズ群を配置することで、前群で発生する大きな正の像面湾曲を、容易に補正することができる。その結果、変倍域の全域で像面湾曲が良好に補正された状態を確保できる。
【０１３８】
また、本実施形態のズームレンズでは、前群は、第１レンズ群からなり、広角端から望遠端への変倍に際して、第１レンズ群は、一体となって移動することが好ましい。
【０１３９】
このようにすることで、前群内に、変倍に必要なスペースを設ける必要がない。そのため、前群を小型化することができる。
【０１４０】
移動方向や移動量が各レンズで異なると、場合によっては、レンズの移動に必要なスペースを余分に設ける必要が生じる。その結果、前群の全長が変化することがある。これに対して、前群が一体となって移動すると、前群内の全てのレンズが、同じ方向に、同じ量だけ移動する。この場合、前群の全長は変化しない。よって、このようにすることで、前群を小型化することができる。
【０１４１】
また、本実施形態のズームレンズでは、前群は、第１レンズ群からなり、後群は、第１のレンズユニットと、第２のレンズユニットと、からなり、第１のレンズユニットは、正の屈折力を有する第２レンズ群と、第３レンズ群と、からなり、第２のレンズユニットは、第４レンズ群からなり、広角端から望遠端への変倍に際して、各レンズ群の間隔は変化することが好ましい。
【０１４２】
このようにすることで、少ないレンズ群で、光学系の小型化と軽量化が十分になされ、かつ、Ｆナンバーに比べて十分に広い画角を持ちながらも諸収差が十分に低減されたズームレンズを実現することができる。
【０１４３】
また、本実施形態のズームレンズでは、以下のようにすることが好ましい。
【０１４４】
前群は、負の屈折力を有する４枚のレンズと、正の屈折力を有する１枚のレンズからなることが好ましい。
【０１４５】
前群は、物体側から像側に順に、負の屈折力を有し、かつ、物体側に凸面を向けたメニスカス形状の２枚のレンズと、負の屈折力を有する１枚のレンズと、２枚のレンズと、からなることが好ましい。
【０１４６】
前群は、物体側から像側に順に、負の屈折力を有し、かつ、物体側に凸面を向けたメニスカス形状の３枚のレンズと、両凹負レンズと、正の屈折力を有し、かつ、物体側面が物体側に凸面を向けたレンズと、からなることが好ましい。
【０１４７】
第１のサブレンズユニットは、負の屈折力を有する１枚のレンズと、正の屈折力を有する１枚のレンズからなることが好ましい。
【０１４８】
第１のサブレンズユニットは、負の屈折力を有し、かつ、物体側に凸面を向けたメニスカス形状のレンズと、正の屈折力を有し、かつ、物体側面が物体側に凸面を向けたレンズと、の接合レンズからなることが好ましい。
【０１４９】
第１のサブレンズユニットは、正の屈折力を有し、かつ、物体側面が物体側に凸面を向けたレンズのみからなることが好ましい。
【０１５０】
第２のサブレンズユニットは、正の屈折力を有し、かつ、像側面が像側に凸面を向けたレンズと、両凹負レンズと、正の屈折力を有し、かつ、像側面が像側に凸面を向けたレンズと、負の屈折力を有し、かつ、像側面が像側に凸面を向けたレンズと、からなることが好ましい。
【０１５１】
第２のサブレンズユニットは、物体側から像側に順に、負の屈折力を有し、かつ、物体側に凸面を向けたメニスカス形状のレンズと両凸正レンズの接合レンズと、両凹負レンズと物体側面が物体側に凸面を向けたレンズの接合レンズと、両凸正レンズと、像側面が像側に凸面を向けた正レンズと、からなることが好ましい。
【０１５２】
第４レンズ群は、接合レンズを２つ備えることが好ましい。
【０１５３】
第４レンズ群は、物体側から像側に順に、正の屈折力を有するレンズと、負の屈折力を有するレンズと正の屈折力を有するレンズとからなる接合レンズと、正の屈折力を有するレンズと、負の屈折力を有するレンズと、正の屈折力を有するレンズと、を有することが好ましい。
【０１５４】
第４レンズ群は、物体側から像側に順に、正の屈折力を有し、かつ、物体側面が物体側に凸面を向けたレンズと、負の屈折力を有し、かつ、物体側に凸面を向けたメニスカス形状のレンズと、両凸正レンズと、両凸正レンズと、両凹負レンズと、正の屈折力を有し、かつ、物体側面が物体側に凸面を向けたレンズと、を有することが好ましい。
【０１５５】
第４レンズ群は、両凹負レンズのみからなることが好ましい。
【０１５６】
広角端から望遠端への変倍に際して、第１のサブレンズユニットと、第２のサブレンズユニット、の近軸上の間隔は、狭まることが好ましい。
【０１５７】
広角端から望遠端への変倍に際して、第２のサブレンズユニットと、第４レンズ群と、の近軸上の間隔は、広がることが好ましい。
【０１５８】
広角端から望遠端への変倍に際して、前群は、像側に移動することが好ましい。
【０１５９】
広角端から望遠端への変倍に際して、第１のサブレンズユニットは、物体側に移動することが好ましい。
【０１６０】
広角端から望遠端への変倍に際して、第２のサブレンズユニットは、物体側に移動することが好ましい。
【０１６１】
広角端から望遠端への変倍に際して、第４レンズ群は、物体側に移動することが好ましい。
【０１６２】
また、本実施形態の撮像装置は、上述のズームレンズと、撮像面を持ち且つズームレンズにより撮像面上に形成された像を電気信号に変換する撮像素子と、を有することを特徴とする。
【０１６３】
このようにすることで、超広画角、小型でありながら、画質を劣化させずに高解像の画像を得るのに有利な撮像装置とすることが可能となる。
【０１６４】
また、上述の構成は相互に複数を同時に満足することがより好ましい。また、一部の構成を同時に満足するようにしてもよい。例えば、上述のズームレンズや撮像装置の何れかにて上述のズームレンズの何れかを用いるようにしてもよい。
【０１６５】
また、条件式については、それぞれの条件式を個別に満足させるようにしても良い。このようにすると、それぞれの効果を得やすくなるので好ましい。
【０１６６】
また、各条件式について、以下のように下限値、または上限値を変更しても良い、このようにすることで、各条件式の効果を一層確実にできるので好ましい。
【０１６７】
条件式（１）については、以下のようにすることが好ましい。
７４＜νｄFnmax＜１１０
８０＜νｄFnmax＜１００
条件式（２）については、以下のようにすることが好ましい。
−１．４０＜ＦＢw／ｆF＜−０．４
−１．３５＜ＦＢw／ｆF＜−０．６
条件式（２−１）については、以下のようにすることが好ましい。
−１．５０＜ＦＢw／ｆF＜−０．５
−１．４０＜ＦＢw／ｆF＜−０．６
条件式（３）については、以下のようにすることが好ましい。
−１．７７＜ｆw×Ｆｎｏwmin／ｆF＜−０．８
−１．７５＜ｆw×Ｆｎｏwmin／ｆF＜−１．２
条件式（３−１）については、以下のようにすることが好ましい。
−２．００＜ｆw×Ｆｎｏwmin／ｆF＜−１．０
−１．８０＜ｆw×Ｆｎｏwmin／ｆF＜−１．２
条件式（４）については、以下のようにすることが好ましい。
１．３５＜ｆRw／ＦＢw＜３．５
１．４５＜ｆRw／ＦＢw＜３．０
条件式（５）については、以下のようにすることが好ましい。
１．２＜｜ｒF1i／ｆF｜＜２．５
１．３＜｜ｒF1i／ｆF｜＜２．４
条件式（７）については、以下のようにすることが好ましい。
０．０１５＜θgFFn＋０．００１６×νｄ−０．６４１５＜０．０４８
０．０２５＜θgFFn＋０．００１６×νｄ−０．６４１５＜０．０４６
条件式（８）については、以下のようにすることが好ましい。
０．０７＜ＦＢw／ＬＴＬw＜０．１８
０．０８＜ＦＢw／ＬＴＬw＜０．１６
条件式（９）については、以下のようにすることが好ましい。
２．３＜ＳＰF1＜８．７
２．６＜ＳＰF1＜８．５
条件式（１０）については、以下のようにすることが好ましい。
３３°＜ＡＳＰRθ＜６０°
３５°＜ＡＳＰRθ＜５８°
条件式（１１）については、以下のようにすることが好ましい。
−２３＜ＤＴＬw＜６
−２０＜ＤＴＬw＜５
条件式（１２）については、以下のようにすることが好ましい。
０．１１＜｜ＭＧfob2×（ＭＧfo2−１）｜＜２．０
０．１３＜｜ＭＧfob2×（ＭＧfo2−１）｜＜１．２
条件式（１３）については、以下のようにすることが好ましい。
−１．９＜ｆF／（ｆw×ｆt）1/2＜−１．１
−１．８＜ｆF／（ｆw×ｆt）1/2＜−１．２
条件式（１４）については、以下のようにすることが好ましい。
１．８＜ＳＰF2＜５．８
１．９＜ＳＰF2＜５．５
条件式（１５）については、以下のようにすることが好ましい。
０．９＜ＳＰF4＜５．０
１．０＜ＳＰF4＜４．０
【０１６８】
以下に、本発明に係る撮像装置に用いられるズームレンズの実施例を、図面に基づいて詳細に説明する。なお、この実施例によりこの発明が限定されるものではない。
【０１６９】
各実施例では、広角側で発生する樽型の歪曲収差を電気的に補正したうえで画像の記録や表示を行っている。本実施例のズームレンズでは、矩形の光電変換面上に像が形成される。ここで、広角端では、樽型の歪曲収差が発生する。一方、中間焦点距離状態付近や望遠端では、歪曲収差の発生が抑えられている。
【０１７０】
この歪曲収差を電気的に補正するために、広角端では樽型形状となり、中間焦点距離状態や望遠端では矩形の形状となるように、有効撮像領域を設定している。そして、あらかじめ設定した有効撮像領域内の画像情報を画像処理により画像変換し、歪みを低減させた矩形の画像情報に変換する。
【０１７１】
本実施例のズームレンズでは、広角端での最大像高は、中間焦点距離状態での最大像や望遠端での最大像高よりも小さくなるようにしている。
【０１７２】
以下、ズームレンズの実施例１〜１３について説明する。実施例１〜１３のレンズ断面図を、それぞれ図１〜図１３に示す。図中、（ａ）は、広角端におけるレンズ断面図、（ｂ）は、中間焦点距離状態におけるレンズ断面図、（ｃ）は、望遠端におけるレンズ断面図である。なお、（ａ）〜（ｃ）は、いずれも、無限遠物体合焦時のレンズ断面図である。実施例９は参考例である。
【０１７３】
また、第１レンズ群はＧ１、第２レンズ群はＧ２、第３レンズ群はＧ３、第４レンズ群はＧ４、第５レンズ群はＧ５、第６レンズ群はＧ６、フォーカスレンズ群はＧｆｏ、開口絞り（明るさ絞り）はＳ、像面（撮像面）はＩで示してある。また、フォーカスの際に移動するレンズ群をＦ、手ぶれ補正の際に移動するレンズをＷで示している。
【０１７４】
なお、最も像側に位置するレンズ群と像面Ｉとの間に、ローパスフィルタを構成する平行平板や、電子撮像素子のカバーガラスを配置しても良い。この場合、平行平板の表面に、赤外光を制限する波長域制限コートを施しても良い。また、カバーガラスの表面に波長域制限用の多層膜を施してもよい。また、そのカバーガラスにローパスフィルタ作用を持たせるようにしてもよい。
【０１７５】
実施例１のズームレンズは、図１に示すように、物体側から像側に順に、負屈折力の前群ＧＦと、正屈折力の後群ＧＲと、で構成されている。後群ＧＲは、物体側から像側に順に、第１のレンズユニットＬＵ１と、第２のレンズユニットＬＵ２と、を有する。第１のレンズユニットＬＵ１は、正屈折力のフォーカスレンズ群Ｇｆｏを有する。フォーカスレンズ群Ｇｆｏは、開口絞りＳよりも物体側に位置している。
【０１７６】
より具体的には、ズームレンズは、物体側から像側に順に、負屈折力の第１レンズ群Ｇ１と、正屈折力の第２レンズ群Ｇ２と、正屈折力の第３レンズ群Ｇ３と、正屈折力の第４レンズ群Ｇ４と、で構成されている。開口絞りＳは、第３レンズ群Ｇ３の物体側に配置されている。
【０１７７】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凹負レンズＬ４と、両凸正レンズＬ５と、で構成されている。
【０１７８】
第２レンズ群Ｇ２は、物体側に凸面を向けた負メニスカスレンズＬ６と、物体側に凸面を向けた正メニスカスレンズＬ７と、で構成されている。ここで、負メニスカスレンズＬ６と正メニスカスレンズＬ７とが接合されている。
【０１７９】
第３レンズ群Ｇ３は、両凸正レンズＬ８と、物体側に凸面を向けた負メニスカスレンズＬ９と、両凸正レンズＬ１０と、像側に凸面を向けた負メニスカスレンズＬ１１と、両凹負レンズＬ１２と、両凸正レンズＬ１３と、像側に凸面を向けた正メニスカスレンズＬ１４と、物体側に凸面を向けた負メニスカスレンズＬ１５と、両凸正レンズＬ１６と、物体側に凸面を向けた負メニスカスレンズＬ１７と、で構成されている。ここで、負メニスカスレンズＬ９と両凸正レンズＬ１０とが接合されている。また、両凹負レンズＬ１２と両凸正レンズＬ１３とが接合されている。
【０１８０】
第４レンズ群Ｇ４は、物体側に凸面を向けた負メニスカスレンズＬ１８と、両凸正レンズＬ１９と、で構成されている。
【０１８１】
広角端から望遠端への変倍時、各レンズ群は以下のように移動する。第１レンズ群Ｇ１は像側に移動する。第２レンズ群Ｇ２は物体側に移動する。第３レンズ群Ｇ３は物体側に移動する。第４レンズ群Ｇ４は固定である。開口絞りＳは、第３レンズ群Ｇ３と共に物体側に移動する。
【０１８２】
フォーカシング時、第２レンズ群Ｇ２が光軸に沿って移動する。より詳しくは、無限遠物体から近距離物体への合焦時に、第２レンズ群Ｇ２が像側に移動する。
【０１８３】
非球面は、負メニスカスレンズＬ２の両面と、負メニスカスレンズＬ３の両面と、正メニスカスレンズＬ７の像側面と、両凸正レンズＬ１９の像側面との、合計６面に設けられている。
【０１８４】
前群ＧＦは、第１レンズ群Ｇ１で構成されている。後群ＧＲは、第２レンズ群Ｇ２、第３レンズ群Ｇ３及び第４レンズ群Ｇ４で構成されている。第１のレンズユニットＬＵ１は、第２レンズ群Ｇ２と、第３レンズ群Ｇ３と、で構成されている。第２のレンズユニットＬＵ２は、第４レンズ群Ｇ４で構成されている。フォーカスレンズ群Ｇｆｏは、第２レンズ群Ｇ２で構成されている。第１のサブレンズユニットは第２レンズ群Ｇ２、第２のサブレンズユニットは第３レンズ群Ｇ３である。
【０１８５】
実施例２のズームレンズは、図２に示すように、物体側から像側に順に、負屈折力の前群ＧＦと、正屈折力の後群ＧＲと、で構成されている。後群ＧＲは、物体側から像側に順に、第１のレンズユニットＬＵ１と、第２のレンズユニットＬＵ２と、を有する。第１のレンズユニットＬＵ１は、正屈折力のフォーカスレンズ群Ｇｆｏを有する。フォーカスレンズ群Ｇｆｏは、開口絞りＳよりも物体側に位置している。
【０１８６】
より具体的には、ズームレンズは、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。開口絞りＳは、第３レンズ群Ｇ３の物体側に配置されている。
【０１８７】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凹負レンズＬ４と、両凸正レンズＬ５と、で構成されている。
【０１８８】
第２レンズ群Ｇ２は、物体側に凸面を向けた負メニスカスレンズＬ６と、両凸正レンズＬ７と、で構成されている。ここで、負メニスカスレンズＬ６と両凸正レンズＬ７とが接合されている。
【０１８９】
第３レンズ群Ｇ３は、両凸正レンズＬ８と、両凹負レンズＬ９と、像側に凸面を向けた正メニスカスレンズＬ１０と、像側に凸面を向けた負メニスカスレンズＬ１１と、で構成されている。
【０１９０】
第４レンズ群Ｇ４は、物体側に凸面を向けた正メニスカスレンズＬ１２と、物体側に凸面を向けた負メニスカスレンズＬ１３と、両凸正レンズＬ１４と、両凸正レンズＬ１５と、両凹負レンズＬ１６と、物体側に凸面を向けた正メニスカスレンズＬ１７と、で構成されている。ここで、負メニスカスレンズＬ１３と両凸正レンズＬ１４とが接合されている。また、両凹負レンズＬ１６と正メニスカスレンズＬ１７とが接合されている。
【０１９１】
広角端から望遠端への変倍時、各レンズ群は以下のように移動する。第１レンズ群Ｇ１は像側に移動する。第２レンズ群Ｇ２は物体側に移動する。第３レンズ群Ｇ３は物体側に移動する。第４レンズ群Ｇ４は物体側に移動する。開口絞りＳは、第３レンズ群Ｇ３と共に物体側に移動する。
【０１９２】
フォーカシング時、第２レンズ群Ｇ２が光軸に沿って移動する。より詳しくは、無限遠物体から近距離物体への合焦時に、第２レンズ群Ｇ２が像側に移動する。手ぶれ補正時、第３レンズ群Ｇ３の両凸正レンズＬ８が光軸と直交する方向に移動する。
【０１９３】
非球面は、負メニスカスレンズＬ２の両面と、負メニスカスレンズＬ３の両面と、正メニスカスレンズＬ１７の像側面との、合計５面に設けられている。
【０１９４】
前群ＧＦは、第１レンズ群Ｇ１で構成されている。後群ＧＲは、第２レンズ群Ｇ２、第３レンズ群Ｇ３及び第４レンズ群Ｇ４で構成されている。第１のレンズユニットＬＵ１は、第２レンズ群Ｇ２と、第３レンズ群Ｇ３と、で構成されている。第２のレンズユニットＬＵ２は、第４レンズ群Ｇ４で構成されている。フォーカスレンズ群Ｇｆｏは、第２レンズ群Ｇ２で構成されている。第１のサブレンズユニットは第２レンズ群Ｇ２、第２のサブレンズユニットは第３レンズ群Ｇ３である。
【０１９５】
実施例３のズームレンズは、図３に示すように、物体側から像側に順に、負屈折力の前群ＧＦと、正屈折力の後群ＧＲと、で構成されている。後群ＧＲは、物体側から像側に順に、第１のレンズユニットＬＵ１と、第２のレンズユニットＬＵ２と、を有する。第１のレンズユニットＬＵ１は、正屈折力のフォーカスレンズ群Ｇｆｏを有する。フォーカスレンズ群Ｇｆｏは、開口絞りＳよりも物体側に位置している。
【０１９６】
より具体的には、ズームレンズは、物体側から像側に順に、負屈折力の第１レンズ群Ｇ１と、正屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞りＳは、第３レンズ群Ｇ３の物体側に配置されている。
【０１９７】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凹負レンズＬ４と、物体側に凸面を向けた正メニスカスレンズＬ５と、で構成されている。ここで、両凹負レンズＬ４と正メニスカスレンズＬ５とが接合されている。
【０１９８】
第２レンズ群Ｇ２は、物体側に凸面を向けた正メニスカスレンズＬ６で構成されている。
【０１９９】
第３レンズ群Ｇ３は、物体側に凸面を向けた負メニスカスレンズＬ７と、両凸正レンズＬ８と、両凹負レンズＬ９と、両凸正レンズＬ１０と、両凸正レンズＬ１１と、両凸正レンズＬ１２とで構成されている。ここで、負メニスカスレンズＬ７と両凸正レンズＬ８とが接合されている。また、両凹負レンズＬ９と両凸正レンズＬ１０とが接合されている。
【０２００】
第４レンズ群Ｇ４は、両凹負レンズＬ１３で構成されている。
【０２０１】
第５レンズ群Ｇ５は、両凸正レンズＬ１４で構成されている。
【０２０２】
広角端から望遠端への変倍時、各レンズ群は以下のように移動する。第１レンズ群Ｇ１は像側に移動する。第２レンズ群Ｇ２は物体側に移動する。第３レンズ群Ｇ３は物体側に移動する。第４レンズ群Ｇ４は物体側に移動する。第５レンズ群Ｇ５は固定である。開口絞りＳは、第３レンズ群Ｇ３と共に物体側に移動する。
【０２０３】
フォーカシング時、第２レンズ群Ｇ２が光軸に沿って移動する。より詳しくは、無限遠物体から近距離物体への合焦時に、第２レンズ群Ｇ２が像側に移動する。手ぶれ補正時、第３レンズ群Ｇ３の負メニスカスレンズＬ７と両凸正レンズＬ８とが光軸と直交する方向に移動する。
【０２０４】
非球面は、負メニスカスレンズＬ３の両面と、正メニスカスレンズＬ６の両面と、両凸正レンズＬ１２の両面と、両凸正レンズＬ１４の両面との、合計８面に設けられている。
【０２０５】
前群ＧＦは、第１レンズ群Ｇ１で構成されている。後群ＧＲは、第２レンズ群Ｇ２、第３レンズ群Ｇ３、第４レンズ群Ｇ４及び第５レンズ群Ｇ５で構成されている。第１のレンズユニットＬＵ１は、第２レンズ群Ｇ２と、第３レンズ群Ｇ３と、で構成されている。第２のレンズユニットＬＵ２は、第４レンズ群Ｇ４で構成されている。フォーカスレンズ群Ｇｆｏは、第２レンズ群Ｇ２で構成されている。第１のサブレンズユニットは第２レンズ群Ｇ２、第２のサブレンズユニットは第３レンズ群Ｇ３である。
【０２０６】
実施例４のズームレンズは、図４に示すように、物体側から像側に順に、負屈折力の前群ＧＦと、正屈折力の後群ＧＲと、で構成されている。後群ＧＲは、物体側から像側に順に、第１のレンズユニットＬＵ１と、第２のレンズユニットＬＵ２と、を有する。第１のレンズユニットＬＵ１は、正屈折力のフォーカスレンズ群Ｇｆｏを有する。フォーカスレンズ群Ｇｆｏは、開口絞りＳよりも物体側に位置している。
【０２０７】
より具体的には、ズームレンズは、物体側から像側に順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。開口絞りＳは、第３レンズ群Ｇ３の物体側に配置されている。
【０２０８】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凹負レンズＬ４と、物体側に凸面を向けた正メニスカスレンズＬ５と、で構成されている。
【０２０９】
第２レンズ群Ｇ２は、物体側に凸面を向けた負メニスカスレンズＬ６と、両凸正レンズＬ７と、で構成されている。ここで、負メニスカスレンズＬ６と両凸正レンズＬ７とが接合されている。
【０２１０】
第３レンズ群Ｇ３は、像側に凸面を向けた正メニスカスレンズＬ８と、両凹負レンズＬ９と、両凸正レンズＬ１０と、像側に凸面を向けた負メニスカスレンズＬ１１と、で構成されている。
【０２１１】
第４レンズ群Ｇ４は、物体側に凸面を向けた正メニスカスレンズＬ１２と、物体側に凸面を向けた負メニスカスレンズＬ１３と、両凸正レンズＬ１４と、両凸正レンズＬ１５と、両凹負レンズＬ１６と、両凸正レンズＬ１７と、像側に凸面を向けた負メニスカスレンズＬ１８と、で構成されている。ここで、負メニスカスレンズＬ１３と両凸正レンズＬ１４とが接合されている。また、両凹負レンズＬ１６と両凸正レンズＬ１７とが接合されている。
【０２１２】
広角端から望遠端への変倍時、各レンズ群は以下のように移動する。第１レンズ群Ｇ１は像側に移動する。第２レンズ群Ｇ２は像側に移動する。第３レンズ群Ｇ３は物体側に移動する。第４レンズ群Ｇ４は物体側に移動する。開口絞りＳは、第３レンズ群Ｇ３と共に物体側に移動する。
【０２１３】
フォーカシング時、第２レンズ群Ｇ２が光軸に沿って移動する。より詳しくは、無限遠物体から近距離物体への合焦時に、第２レンズ群Ｇ２が像側に移動する。
【０２１４】
非球面は、負メニスカスレンズＬ２の両面と、正メニスカスレンズＬ１２の両面と、負メニスカスレンズＬ１８の像側面との、合計５面に設けられている。
【０２１５】
前群ＧＦは、第１レンズ群Ｇ１で構成されている。後群ＧＲは、第２レンズ群Ｇ２、第３レンズ群Ｇ３及び第４レンズ群Ｇ４で構成されている。第１のレンズユニットＬＵ１は、第２レンズ群Ｇ２と、第３レンズ群Ｇ３と、で構成されている。第２のレンズユニットＬＵ２は、第４レンズ群Ｇ４で構成されている。フォーカスレンズ群Ｇｆｏは、第２レンズ群Ｇ２で構成されている。第１のサブレンズユニットは第２レンズ群Ｇ２、第２のサブレンズユニットは第３レンズ群Ｇ３である。
【０２１６】
実施例５のズームレンズは、図５に示すように、物体側から像側に順に、負屈折力の前群ＧＦと、正屈折力の後群ＧＲと、で構成されている。後群ＧＲは、物体側から像側に順に、第１のレンズユニットＬＵ１と、第２のレンズユニットＬＵ２と、を有する。第１のレンズユニットＬＵ１は、正屈折力のフォーカスレンズ群Ｇｆｏを有する。フォーカスレンズ群Ｇｆｏは、開口絞りＳよりも物体側に位置している。
【０２１７】
より具体的には、ズームレンズは、物体側から像側に順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。開口絞りＳは、第３レンズ群Ｇ３の物体側に配置されている。
【０２１８】
第１レンズ群Ｇ１は、物体側に凸面を向けた負メニスカスレンズＬ１と、物体側に凸面を向けた負メニスカスレンズＬ２と、両凹負レンズＬ３と、物体側に凸面を向けた正メニスカスレンズＬ４と、で構成されている。
【０２１９】
第２レンズ群Ｇ２は、物体側に凸面を向けた正メニスカスレンズＬ５で構成されている。
【０２２０】
第３レンズ群Ｇ３は、両凹負レンズＬ６と、両凸正レンズＬ７と、像側に凸面を向けた負メニスカスレンズＬ８と、で構成されている。
【０２２１】
第４レンズ群Ｇ４は、物体側に凸面を向けた正メニスカスレンズＬ９と、物体側に凸面を向けた負メニスカスレンズＬ１０と、両凸正レンズＬ１１と、両凸正レンズＬ１２と、両凹負レンズＬ１３と、両凸正レンズＬ１４と、像側に凸面を向けた負メニスカスレンズＬ１５と、で構成されている。ここで、負メニスカスレンズＬ１０と両凸正レンズＬ１１とが接合されている。また、両凹負レンズＬ１３、両凸正レンズＬ１４及び負メニスカスレンズＬ１５が接合されている。
【０２２２】
広角端から望遠端への変倍時、各レンズ群は以下のように移動する。第１レンズ群Ｇ１は像側に移動する。第２レンズ群Ｇ２は像側に移動する。第３レンズ群Ｇ３は物体側に移動する。第４レンズ群Ｇ４は物体側に移動する。開口絞りＳは、第３レンズ群Ｇ３と共に物体側に移動する。
【０２２３】
フォーカシング時、第２レンズ群Ｇ２が光軸に沿って移動する。より詳しくは、無限遠物体から近距離物体への合焦時に、第２レンズ群Ｇ２が像側に移動する。手ぶれ補正時、第３レンズ群Ｇ３が光軸と直交する方向に移動する。
【０２２４】
非球面は、負メニスカスレンズＬ２の両面と、正メニスカスレンズＬ５の両面と、正メニスカスレンズＬ９の両面と、負メニスカスレンズＬ１５の像側面との、合計７面に設けられている。
【０２２５】
前群ＧＦは、第１レンズ群Ｇ１で構成されている。後群ＧＲは、第２レンズ群Ｇ２、第３レンズ群Ｇ３及び第４レンズ群Ｇ４で構成されている。第１のレンズユニットＬＵ１は、第２レンズ群Ｇ２と、第３レンズ群Ｇ３と、で構成されている。第２のレンズユニットＬＵ２は、第４レンズ群Ｇ４で構成されている。フォーカスレンズ群Ｇｆｏは、第２レンズ群Ｇ２で構成されている。第１のサブレンズユニットは第２レンズ群Ｇ２、第２のサブレンズユニットは第３レンズ群Ｇ３である。
【０２２６】
実施例６のズームレンズは、図６に示すように、物体側から像側に順に、負屈折力の前群ＧＦと、正屈折力の後群ＧＲと、で構成されている。後群ＧＲは、物体側から像側に順に、第１のレンズユニットＬＵ１と、第２のレンズユニットＬＵ２と、を有する。第１のレンズユニットＬＵ１は、正屈折力のフォーカスレンズ群Ｇｆｏを有する。フォーカスレンズ群Ｇｆｏは、開口絞りＳよりも物体側に位置している。
【０２２７】
より具体的には、ズームレンズは、物体側から像側に順に、負屈折力の第１レンズ群Ｇ１と、正屈折力の第２レンズ群Ｇ２と、正屈折力の第３レンズ群Ｇ３と、正屈折力の第４レンズ群Ｇ４と、で構成されている。開口絞りＳは、第３レンズ群Ｇ３内に配置されている。
【０２２８】
第１レンズ群Ｇ１は、物体側に凸面を向けた負メニスカスレンズＬ１と、物体側に凸面を向けた負メニスカスレンズＬ２と、両凹負レンズＬ３と、両凸正レンズＬ４と、両凹負レンズＬ５と、で構成されている。
【０２２９】
第２レンズ群Ｇ２は、両凸正レンズＬ６と、両凹負レンズＬ７と、で構成されている。
【０２３０】
第３レンズ群Ｇ３は、物体側に凸面を向けた正メニスカスレンズＬ８と、像側に凸面を向けた正メニスカスレンズＬ９と、像側に凸面を向けた負メニスカスレンズＬ１０と、物体側に凸面を向けた負メニスカスレンズＬ１１と、両凸正レンズＬ１２と、像側に凸面を向けた負メニスカスレンズＬ１３と、両凸正レンズＬ１４と、で構成されている。ここで、負メニスカスレンズＬ１１、両凸正レンズＬ１２及び負メニスカスレンズＬ１３が接合されている。
【０２３１】
第４レンズ群Ｇ４は、像側に凸面を向けた負メニスカスレンズＬ１５と、両凸正レンズＬ１６と、で構成されている。
【０２３２】
広角端から望遠端への変倍時、各レンズ群は以下のように移動する。第１レンズ群Ｇ１は像側に移動した後、物体側に移動する。第２レンズ群Ｇ２は物体側に移動する。第３レンズ群Ｇ３は物体側に移動する。第４レンズ群Ｇ４は物体側に移動した後、像側に移動する。開口絞りＳは、第３レンズ群Ｇ３と共に物体側に移動する。
【０２３３】
フォーカシング時、第２レンズ群Ｇ２が光軸に沿って移動する。より詳しくは、無限遠物体から近距離物体への合焦時に、第２レンズ群Ｇ２が像側に移動する。手ぶれ補正時、第３レンズ群Ｇ３の正メニスカスレンズＬ８が光軸と直交する方向に移動する。
【０２３４】
非球面は、負メニスカスレンズＬ２の両面と、両凸正レンズＬ６の両面と、負メニスカスレンズＬ１５の両面と、両凸正レンズＬ１６の両面との、合計８面に設けられている。
【０２３５】
前群ＧＦは、第１レンズ群Ｇ１で構成されている。後群ＧＲは、第２レンズ群Ｇ２、第３レンズ群Ｇ３及び第４レンズ群Ｇ４で構成されている。第１のレンズユニットＬＵ１は、第２レンズ群Ｇ２と、第３レンズ群Ｇ３と、で構成されている。第２のレンズユニットＬＵ２は、第４レンズ群Ｇ４で構成されている。フォーカスレンズ群Ｇｆｏは、第２レンズ群Ｇ２で構成されている。第１のサブレンズユニットは第２レンズ群Ｇ２、第２のサブレンズユニットは第３レンズ群Ｇ３である。
【０２３６】
実施例７のズームレンズは、図７に示すように、物体側から像側に順に、負屈折力の前群ＧＦと、正屈折力の後群ＧＲと、で構成されている。後群ＧＲは、物体側から像側に順に、第１のレンズユニットＬＵ１と、第２のレンズユニットＬＵ２と、を有する。第１のレンズユニットＬＵ１は、正屈折力のフォーカスレンズ群Ｇｆｏを有する。フォーカスレンズ群Ｇｆｏは、開口絞りＳよりも物体側に位置している。
【０２３７】
より具体的には、ズームレンズは、物体側から像側に順に、負屈折力の第１レンズ群Ｇ１と、正屈折力の第２レンズ群Ｇ２と、正屈折力の第３レンズ群Ｇ３と、負屈折力の第４レンズ群Ｇ４と、正屈折力の第５レンズ群Ｇ５と、負屈折力の第６レンズ群Ｇ６と、で構成されている。開口絞りＳは、第３レンズ群Ｇ３の物体側に配置されている。
【０２３８】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凹負レンズＬ４と、両凸正レンズＬ５と、で構成されている。
【０２３９】
第２レンズ群Ｇ２は、物体側に凸面を向けた負メニスカスレンズＬ６と、両凸正レンズＬ７と、で構成されている。ここで、負メニスカスレンズＬ６と両凸正レンズＬ７とが接合されている。
【０２４０】
第３レンズ群Ｇ３は、両凸正レンズＬ８で構成されている。
【０２４１】
第４レンズ群Ｇ４は、両凸正レンズＬ９と、両凹負レンズＬ１０と、で構成されている。
【０２４２】
第５レンズ群Ｇ５は、物体側に凸面を向けた負メニスカスレンズＬ１１と、物体側に凸面を向けた負メニスカスレンズＬ１２と、物体側に凸面を向けた正メニスカスレンズＬ１３と、両凸正レンズＬ１４と、で構成されている。ここで、負メニスカスレンズＬ１２と正メニスカスレンズＬ１３とが接合されている。
【０２４３】
第６レンズ群Ｇ６は、両凹負レンズＬ１５と、両凸正レンズＬ１６と、で構成されている。ここで、両凹負レンズＬ１５と両凸正レンズＬ１６とが接合されている。
【０２４４】
広角端から望遠端への変倍時、各レンズ群は以下のように移動する。第１レンズ群Ｇ１は像側に移動する。第２レンズ群Ｇ２は物体側に移動する。第３レンズ群Ｇ３は物体側に移動する。第４レンズ群Ｇ４は物体側に移動する。第５レンズ群Ｇ５は物体側に移動する。第６レンズ群Ｇ６は物体側に移動する。開口絞りＳは、第３レンズ群Ｇ３と共に物体側に移動する。
【０２４５】
フォーカシング時、第２レンズ群Ｇ２が光軸に沿って移動する。より詳しくは、無限遠物体から近距離物体への合焦時に、第２レンズ群Ｇ２が像側に移動する。手ぶれ補正時、第３レンズ群Ｇ３が光軸と直交する方向に移動する。
【０２４６】
非球面は、負メニスカスレンズＬ２の両面と、負メニスカスレンズＬ３の像側面と、両凸正レンズＬ１６の像側面との、合計４面に設けられている。
【０２４７】
前群ＧＦは、第１レンズ群Ｇ１で構成されている。後群ＧＲは、第２レンズ群Ｇ２、第３レンズ群Ｇ３、第４レンズ群Ｇ４、第５レンズ群Ｇ５及び第６レンズ群Ｇ６で構成されている。第１のレンズユニットＬＵ１は、第２レンズ群Ｇ２と、第３レンズ群Ｇ３と、で構成されている。第２のレンズユニットＬＵ２は、第４レンズ群Ｇ４で構成されている。フォーカスレンズ群Ｇｆｏは、第２レンズ群Ｇ２で構成されている。第１のサブレンズユニットは第２レンズ群Ｇ２、第２のサブレンズユニットは第３レンズ群Ｇ３である。
【０２４８】
実施例８のズームレンズは、図８に示すように、物体側から像側に順に、負屈折力の前群ＧＦと、正屈折力の後群ＧＲと、で構成されている。後群ＧＲは、物体側から像側に順に、第１のレンズユニットＬＵ１と、第２のレンズユニットＬＵ２と、を有する。第１のレンズユニットＬＵ１は、正屈折力のフォーカスレンズ群Ｇｆｏを有する。フォーカスレンズ群Ｇｆｏは、開口絞りＳよりも物体側に位置している。
【０２４９】
より具体的には、ズームレンズは、物体側から像側に順に、負屈折力の第１レンズ群Ｇ１と、正屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞りＳは、第３レンズ群Ｇ３の物体側に配置されている。
【０２５０】
第１レンズ群Ｇ１は、物体側に凸面を向けた負メニスカスレンズＬ１と、物体側に凸面を向けた負メニスカスレンズＬ２と、両凹負レンズＬ３と、物体側に凸面を向けた正メニスカスレンズＬ４と、で構成されている。
【０２５１】
第２レンズ群Ｇ２は、両凸正レンズＬ５で構成されている。
【０２５２】
第３レンズ群Ｇ３は、両凹負レンズＬ６と、両凸正レンズＬ７と、で構成されている。
【０２５３】
第４レンズ群Ｇ４は、両凹負レンズＬ８で構成されている。
【０２５４】
第５レンズ群Ｇ５は、両凸正レンズＬ９と、物体側に凸面を向けた負メニスカスレンズＬ１０と、物体側に凸面を向けた正メニスカスレンズＬ１１と、両凸正レンズＬ１２と、両凹負レンズＬ１３と、両凸正レンズＬ１４と、像側に凸面を向けた負メニスカスレンズＬ１５と、で構成されている。ここで、負メニスカスレンズＬ１０と正メニスカスレンズＬ１１とが接合されている。また、両凹負レンズＬ１３、両凸正レンズＬ１４及び負メニスカスレンズＬ１５が接合されている。
【０２５５】
広角端から望遠端への変倍時、各レンズ群は以下のように移動する。第１レンズ群Ｇ１は像側に移動する。第２レンズ群Ｇ２は像側に移動した後、物体側に移動する。第３レンズ群Ｇ３は物体側に移動する。第４レンズ群Ｇ４は物体側に移動する。第５レンズ群Ｇ５は物体側に移動する。開口絞りＳは固定である。
【０２５６】
フォーカシング時、第２レンズ群Ｇ２が光軸に沿って移動する。より詳しくは、無限遠物体から近距離物体への合焦時に、第２レンズ群Ｇ２が像側に移動する。手ぶれ補正時、第３レンズ群Ｇ３の負メニスカスレンズＬ６が光軸と直交する方向に移動する。
【０２５７】
非球面は、負メニスカスレンズＬ２の両面と、両凸正レンズＬ５の両面と、両凸正レンズＬ９の両面と、負メニスカスレンズＬ１５の像側面との、合計７面に設けられている。
【０２５８】
前群ＧＦは、第１レンズ群Ｇ１で構成されている。後群ＧＲは、第２レンズ群Ｇ２、第３レンズ群Ｇ３、第４レンズ群Ｇ４及び第５レンズ群Ｇ５で構成されている。第１のレンズユニットＬＵ１は、第２レンズ群Ｇ２と、第３レンズ群Ｇ３と、で構成されている。第２のレンズユニットＬＵ２は、第４レンズ群Ｇ４で構成されている。フォーカスレンズ群Ｇｆｏは、第２レンズ群Ｇ２で構成されている。第１のサブレンズユニットは第２レンズ群Ｇ２、第２のサブレンズユニットは第３レンズ群Ｇ３である。
【０２５９】
実施例９のズームレンズは、図９に示すように、物体側から像側に順に、負屈折力の前群ＧＦと、正屈折力の後群ＧＲと、で構成されている。後群ＧＲは、物体側から像側に順に、第１のレンズユニットＬＵ１からなる。第１のレンズユニットＬＵ１は、正屈折力のフォーカスレンズ群Ｇｆｏを有する。フォーカスレンズ群Ｇｆｏは、開口絞りＳよりも物体側に位置している。
【０２６０】
より具体的には、ズームレンズは、物体側から像側に順に、負屈折力の第１レンズ群Ｇ１と、正屈折力の第２レンズ群Ｇ２と、正屈折力の第３レンズ群Ｇ３と、で構成されている。開口絞りＳは、第２レンズ群Ｇ２内に配置されている。
【０２６１】
第１レンズ群Ｇ１は、物体側に凸面を向けた負メニスカスレンズＬ１と、物体側に凸面を向けた負メニスカスレンズＬ２と、両凹負レンズＬ３と、両凸正レンズＬ４と、両凹負レンズＬ５と、で構成されている。
【０２６２】
第２レンズ群Ｇ２は、両凸正レンズＬ６と、両凹負レンズＬ７と、物体側に凸面を向けた正メニスカスレンズＬ８と、像側に凸面を向けた正メニスカスレンズＬ９と、像側に凸面を向けた負メニスカスレンズＬ１０と、物体側に凸面を向けた負メニスカスレンズＬ１１と、両凸正レンズＬ１２と、像側に凸面を向けた負メニスカスレンズＬ１３と、両凸正レンズＬ１４と、で構成されている。ここで、負メニスカスレンズＬ１１、両凸正レンズＬ１２及び負メニスカスレンズＬ１３が接合されている。
【０２６３】
第３レンズ群Ｇ３は、像側に凸面を向けた負メニスカスレンズＬ１５と、両凸正レンズＬ１６と、で構成されている。
【０２６４】
広角端から望遠端への変倍時、各レンズ群は以下のように移動する。第１レンズ群Ｇ１は像側に移動する。第２レンズ群Ｇ２は物体側に移動する。第３レンズ群Ｇ３は物体側に移動した後、像側に移動する。開口絞りＳは、第２レンズ群Ｇ２と共に物体側に移動する。
【０２６５】
フォーカシング時、第２レンズ群Ｇ２の両凸正レンズＬ６と両凹負レンズＬ７とが光軸に沿って移動する。より詳しくは、無限遠物体から近距離物体への合焦時に、第２レンズ群Ｇ２の両凸正レンズＬ６と両凹負レンズＬ７とが像側に移動する。手ぶれ補正時、第２レンズ群Ｇ２の正メニスカスレンズＬ８が光軸と直交する方向に移動する。
【０２６６】
非球面は、負メニスカスレンズＬ２の両面と、両凸正レンズＬ６の両面と、負メニスカスレンズＬ１５の両面と、両凸正レンズＬ１６の両面との、合計８面に設けられている。
【０２６７】
前群ＧＦは、第１レンズ群Ｇ１で構成されている。後群ＧＲは、第２レンズ群Ｇ２と、第３レンズ群Ｇ３と、で構成されている。第１のレンズユニットＬＵ１は、第２レンズ群Ｇ２と、第３レンズ群Ｇ３と、で構成されている。フォーカスレンズ群Ｇｆｏは、第２レンズ群Ｇ２で構成されている。第１のサブレンズユニットは第２レンズ群Ｇ２、第２のサブレンズユニットは第３レンズ群Ｇ３である。
【０２６８】
実施例１０のズームレンズは、図１０に示すように、物体側から像側に順に、負屈折力の前群ＧＦと、正屈折力の後群ＧＲと、で構成されている。後群ＧＲは、物体側から像側に順に、第１のレンズユニットＬＵ１と、第２のレンズユニットＬＵ２と、を有する。第１のレンズユニットＬＵ１は、正屈折力のフォーカスレンズ群Ｇｆｏを有する。フォーカスレンズ群Ｇｆｏは、開口絞りＳよりも物体側に位置している。
【０２６９】
より具体的には、ズームレンズは、物体側から像側に順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。開口絞りＳは、第３レンズ群Ｇ３の物体側に配置されている。
【０２７０】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凹負レンズＬ４と、両凸正レンズＬ５と、で構成されている。
【０２７１】
第２レンズ群Ｇ２は、両凸正レンズＬ６と、物体側に凸面を向けた負メニスカスレンズＬ７と、物体側に凸面を向けた正メニスカスレンズＬ８と、で構成されている。ここで、負メニスカスレンズＬ７と正メニスカスレンズＬ８とが接合されている。
【０２７２】
第３レンズ群Ｇ３は、像側に凸面を向けた正メニスカスレンズＬ９と、両凹負レンズＬ１０と、両凸正レンズＬ１１と、両凹負レンズＬ１２と、で構成されている。
【０２７３】
第４レンズ群Ｇ４は、両凸正レンズＬ１３と、物体側に凸面を向けた負メニスカスレンズＬ１４と、両凸正レンズＬ１５と、両凸正レンズＬ１６と、両凹負レンズＬ１７と、両凸正レンズＬ１８と、両凹負レンズＬ１９と、で構成されている。ここで、負メニスカスレンズＬ１４と両凸正レンズＬ１５とが接合されている。また、両凹負レンズＬ１７と両凸正レンズＬ１８とが接合されている。
【０２７４】
広角端から望遠端への変倍時、各レンズ群は以下のように移動する。第１レンズ群Ｇ１は像側に移動する。第２レンズ群Ｇ２は物体側に移動する。第３レンズ群Ｇ３は物体側に移動する。第４レンズ群Ｇ４は物体側に移動する。開口絞りＳは、第３レンズ群Ｇ３と共に物体側に移動する。
【０２７５】
フォーカシング時、第２レンズ群Ｇ２の両凸正レンズＬ６が光軸に沿って移動する。より詳しくは、無限遠物体から近距離物体への合焦時に、第２レンズ群Ｇ２の両凸正レンズＬ６が像側に移動する。手ぶれ補正時、第２レンズ群Ｇ２の負メニスカスレンズＬ７と正メニスカスレンズＬ８とが光軸と直交する方向に移動する。
【０２７６】
非球面は、負メニスカスレンズＬ２の両面と、負メニスカスレンズＬ３の両面と、両凸正レンズＬ６の像側面と、両凸正レンズＬ１３の両面と、両凹負レンズＬ１９の像側面との、合計８面に設けられている。
前群ＧＦは、第１レンズ群Ｇ１で構成されている。後群ＧＲは、第２レンズ群Ｇ２、第３レンズ群Ｇ３及び第４レンズ群Ｇ４で構成されている。第１のレンズユニットＬＵ１は、第２レンズ群Ｇ２と、第３レンズ群Ｇ３と、で構成されている。第２のレンズユニットＬＵ２は、第４レンズ群Ｇ４で構成されている。フォーカスレンズ群Ｇｆｏは、第２レンズ群Ｇ２で構成されている。第１のサブレンズユニットは第２レンズ群Ｇ２、第２のサブレンズユニットは第３レンズ群Ｇ３である。
【０２７７】
実施例１１のズームレンズは、図１１に示すように、物体側から像側に順に、負屈折力の前群ＧＦと、正屈折力の後群ＧＲと、で構成されている。後群ＧＲは、物体側から像側に順に、第１のレンズユニットＬＵ１と、第２のレンズユニットＬＵ２と、を有する。第１のレンズユニットＬＵ１は、正屈折力のフォーカスレンズ群Ｇｆｏを有する。フォーカスレンズ群Ｇｆｏは、開口絞りＳよりも物体側に位置している。
【０２７８】
より具体的には、ズームレンズは、物体側から像側に順に、負屈折力の第１レンズ群Ｇ１と、正屈折力の第２レンズ群Ｇ２と、正屈折力の第３レンズ群Ｇ３と、正屈折力の第４レンズ群Ｇ４と、で構成されている。開口絞りＳは、第３レンズ群Ｇ３内に配置されている。
【０２７９】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、物体側に凸面を向けた正メニスカスレンズＬ４と、物体側に凸面を向けた負メニスカスレンズＬ５と、で構成されている。
【０２８０】
第２レンズ群Ｇ２は、両凸正レンズＬ６と、像側に凸面を向けた負メニスカスレンズＬ７と、で構成されている。
【０２８１】
第３レンズ群Ｇ３は、物体側に凸面を向けた正メニスカスレンズＬ８と、両凸正レンズＬ９と、像側に凸面を向けた負メニスカスレンズＬ１０と、物体側に凸面を向けた負メニスカスレンズＬ１１と、両凸正レンズＬ１２と、物体側に凸面を向けた正メニスカスレンズＬ１３と、で構成されている。ここで、負メニスカスレンズＬ１１と両凸正レンズＬ１２とが接合されている。
【０２８２】
第４レンズ群Ｇ４は、像側に凸面を向けた負メニスカスレンズＬ１４と、両凸正レンズＬ１５と、で構成されている。
【０２８３】
広角端から望遠端への変倍時、各レンズ群は以下のように移動する。第１レンズ群Ｇ１は像側に移動する。第２レンズ群Ｇ２は物体側に移動する。第３レンズ群Ｇ３は物体側に移動する。第４レンズ群Ｇ４は物体側に移動する。開口絞りＳは、第３レンズ群Ｇ３と共に物体側に移動する。
【０２８４】
フォーカシング時、第２レンズ群Ｇ２の両凸正レンズＬ６が光軸に沿って移動する。より詳しくは、無限遠物体から近距離物体への合焦時に、第２レンズ群Ｇ２の両凸正レンズＬ６が像側に移動する。手ぶれ補正時、第３レンズ群Ｇ３の正メニスカスレンズＬ８が光軸と直交する方向に移動する。
【０２８５】
非球面は、負メニスカスレンズＬ２の両面と、両凸正レンズＬ１５の物体側との、合計３面に設けられている。
前群ＧＦは、第１レンズ群Ｇ１で構成されている。後群ＧＲは、第２レンズ群Ｇ２、第３レンズ群Ｇ３及び第４レンズ群Ｇ４で構成されている。第１のレンズユニットＬＵ１は、第２レンズ群Ｇ２と、第３レンズ群Ｇ３と、で構成されている。第２のレンズユニットＬＵ２は、第４レンズ群Ｇ４で構成されている。フォーカスレンズ群Ｇｆｏは、第２レンズ群Ｇ２で構成されている。第１のサブレンズユニットは第２レンズ群Ｇ２、第２のサブレンズユニットは第３レンズ群Ｇ３である。
【０２８６】
実施例１２のズームレンズは、図１２に示すように、物体側から像側に順に、負屈折力の前群ＧＦと、正屈折力の後群ＧＲと、で構成されている。後群ＧＲは、物体側から像側に順に、第１のレンズユニットＬＵ１と、第２のレンズユニットＬＵ２と、を有する。第１のレンズユニットＬＵ１は、正屈折力のフォーカスレンズ群Ｇｆｏを有する。フォーカスレンズ群Ｇｆｏは、開口絞りＳよりも物体側に位置している。
【０２８７】
より具体的には、ズームレンズは、物体側から像側に順に、負屈折力の第１レンズ群Ｇ１と、正屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞りＳは、第３レンズ群Ｇ３の物体側に配置されている。
【０２８８】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凹負レンズＬ４と、物体側に凸面を向けた正メニスカスレンズＬ５と、で構成されている。
【０２８９】
第２レンズ群Ｇ２は、物体側に凸面を向けた正メニスカスレンズＬ６で構成されている。
【０２９０】
第３レンズ群Ｇ３は、物体側に凸面を向けた負メニスカスレンズＬ７と、両凸正レンズＬ８と、両凹負レンズＬ９と、物体側に凸面を向けた正メニスカスレンズＬ１０と、両凸正レンズＬ１１と、像側に凸面を向けた正メニスカスレンズＬ１２とで構成されている。ここで、負メニスカスレンズＬ７と両凸正レンズＬ８とが接合されている。また、両凹負レンズＬ９と正メニスカスレンズＬ１０とが接合されている。
【０２９１】
第４レンズ群Ｇ４は、両凸正レンズＬ１３と、両凹負レンズＬ１４と、で構成されている。ここで、両凸正レンズＬ１３と両凹負レンズＬ１４とが接合されている。
【０２９２】
第５レンズ群Ｇ５は、両凸正レンズＬ１５で構成されている。
【０２９３】
広角端から望遠端への変倍時、各レンズ群は以下のように移動する。第１レンズ群Ｇ１は像側に移動する。第２レンズ群Ｇ２は物体側に移動する。第３レンズ群Ｇ３は物体側に移動する。第４レンズ群Ｇ４は物体側に移動する。第５レンズ群Ｇ５は固定である。開口絞りＳは、第３レンズ群Ｇ３と共に物体側に移動する。
【０２９４】
フォーカシング時、第２レンズ群Ｇ２が光軸に沿って移動する。より詳しくは、無限遠物体から近距離物体への合焦時に、第２レンズ群Ｇ２が像側に移動する。手ぶれ補正時、第３レンズ群Ｇ３の負メニスカスレンズＬ７と両凸正レンズＬ８とが光軸と直交する方向に移動する。
【０２９５】
非球面は、負メニスカスレンズＬ３の両面と、正メニスカスレンズＬ６の両面と、両凸正レンズＬ１１の両面と、両凸正レンズＬ１５の両面との、合計８面に設けられている。
【０２９６】
前群ＧＦは、第１レンズ群Ｇ１で構成されている。後群ＧＲは、第２レンズ群Ｇ２、第３レンズ群Ｇ３、第４レンズ群Ｇ４及び第５レンズ群Ｇ５で構成されている。第１のレンズユニットＬＵ１は、第２レンズ群Ｇ２と、第３レンズ群Ｇ３と、で構成されている。第２のレンズユニットＬＵ２は、第４レンズ群Ｇ４で構成されている。フォーカスレンズ群Ｇｆｏは、第２レンズ群Ｇ２で構成されている。第１のサブレンズユニットは第２レンズ群Ｇ２、第２のサブレンズユニットは第３レンズ群Ｇ３である。
【０２９７】
実施例１３のズームレンズは、図１３に示すように、物体側から像側に順に、負屈折力の前群ＧＦと、正屈折力の後群ＧＲと、で構成されている。後群ＧＲは、物体側から像側に順に、第１のレンズユニットＬＵ１と、第２のレンズユニットＬＵ２と、を有する。第１のレンズユニットＬＵ１は、正屈折力のフォーカスレンズ群Ｇｆｏを有する。フォーカスレンズ群Ｇｆｏは、開口絞りＳよりも物体側に位置している。
【０２９８】
より具体的には、ズームレンズは、物体側から像側に順に、負屈折力の第１レンズ群Ｇ１と、正屈折力の第２レンズ群Ｇ２と、正屈折力の第３レンズ群Ｇ３と、負屈折力の第４レンズ群Ｇ４と、正屈折力の第５レンズ群Ｇ５と、で構成されている。開口絞りＳは、第３レンズ群Ｇ３の物体側に配置されている。
【０２９９】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凹負レンズＬ４と、物体側に凸面を向けた正メニスカスレンズＬ５と、で構成されている。ここで、両凹負レンズＬ４と正メニスカスレンズＬ５とが接合されている。
【０３００】
第２レンズ群Ｇ２は、物体側に凸面を向けた正メニスカスレンズＬ６で構成されている。
【０３０１】
第３レンズ群Ｇ３は、物体側に凸面を向けた負メニスカスレンズＬ７と、両凸正レンズＬ８と、両凹負レンズＬ９と、物体側に凸面を向けた正メニスカスレンズＬ１０と、両凸正レンズＬ１１と、両凸正レンズＬ１２とで構成されている。ここで、負メニスカスレンズＬ７と両凸正レンズＬ８とが接合されている。また、両凹負レンズＬ９と正メニスカスレンズＬ１０とが接合されている。
【０３０２】
第４レンズ群Ｇ４は、両凹負レンズＬ１３で構成されている。
【０３０３】
第５レンズ群Ｇ５は、両凸正レンズＬ１４で構成されている。
【０３０４】
広角端から望遠端への変倍時、各レンズ群は以下のように移動する。第１レンズ群Ｇ１は像側に移動する。第２レンズ群Ｇ２は物体側に移動する。第３レンズ群Ｇ３は物体側に移動する。第４レンズ群Ｇ４は物体側に移動する。第５レンズ群Ｇ５は物体側に移動する。開口絞りＳは、第３レンズ群Ｇ３と共に物体側に移動する。
【０３０５】
フォーカシング時、第２レンズ群Ｇ２が光軸に沿って移動する。より詳しくは、無限遠物体から近距離物体への合焦時に、第２レンズ群Ｇ２が像側に移動する。
【０３０６】
非球面は、負メニスカスレンズＬ３の両面と、正メニスカスレンズＬ６の両面と、両凸正レンズＬ１２の両面と、両凸正レンズＬ１４の両面との、合計８面に設けられている。
【０３０７】
前群ＧＦは、第１レンズ群Ｇ１で構成されている。後群ＧＲは、第２レンズ群Ｇ２、第３レンズ群Ｇ３、第４レンズ群Ｇ４及び第５レンズ群Ｇ５で構成されている。第１のレンズユニットＬＵ１は、第２レンズ群Ｇ２と、第３レンズ群Ｇ３と、で構成されている。第２のレンズユニットＬＵ２は、第４レンズ群Ｇ４で構成されている。フォーカスレンズ群Ｇｆｏは、第２レンズ群Ｇ２で構成されている。第１のサブレンズユニットは第２レンズ群Ｇ２、第２のサブレンズユニットは第３レンズ群Ｇ３である。
【０３０８】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数、＊印は非球面である。また、ｆは全系の焦点距離、ＦＮＯ．はＦナンバー、ωは半画角、ＩＨは像高、ＦＢはバックフォーカス、全長は、ズームレンズの最も物体側のレンズ面から最も像側のレンズ面までの距離にＦＢ（バックフォーカス）を加えたもの、ｆ１、ｆ２…は各レンズ群の焦点距離である。なお、ＦＢは、レンズ最終面から近軸像面までの距離を空気換算して表したものである。また、広角は広角端、中間は中間焦点距離状態、望遠は望遠端を表している。
【０３０９】
また、数値データにおけるズームデータは、無限遠物体合焦時のデータである。なお、例えば、数値実施例９のズームデータには、ｄ１４の値が記載されている。ｄ１４の値は、広角端、中間焦点距離状態及び望遠端のいずれにおいても同じである。このように、ｄ１４は変倍の際に変化する間隔ではないので、ズームデータとして記載する必要がないが、フォーカスレンズ群の移動を示すために記載している。
【０３１０】
フォーカスレンズ群の移動の様子は、無限遠物体合焦時の間隔、すなわちズームデータにおける間隔と近距離物体合焦時における間隔とから知ることができる。例えば、数値実施例９におけるフォーカスレンズ群の移動は、ｄ１４について、無限遠物体合焦時の間隔と近距離物体合焦時における間隔を比較すれば良い。
【０３１１】
広角端では、無限遠物体合焦時と近距離物体合焦時のｄ１４の値は、それぞれ、以下の通りである。
無限遠物体合焦時  ｄ１４＝６．５０
近距離物体合焦時  ｄ１４＝４．９６
【０３１２】
上記のように、ｄ１４の値は、無限遠物体合焦時よりも近距離物体合焦時の方が小さい。ここで、ｄ１２は、第２レンズ群Ｇ２の両凸正レンズＬ６と両凹負レンズＬ７の位置を示している。よって、無限遠物体合焦時と近距離物体合焦時のｄ１４の値は、数値実施例６では、無限遠物体から近距離物体への合焦時に、両凸正レンズＬ６と両凹負レンズＬ７が像側に移動することを示している。中間焦点距離状態と望遠端についても、同じようにしてフォーカスレンズ群の移動の様子を知ることができる。
【０３１３】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０３１４】
数値実施例１
単位  ｍｍ
面データ
面番号          r           d          nd         νd
物面          ∞          ∞
1         44.443       2.00      1.80400     46.57
2         23.000       6.26
3*        25.382       2.00      1.49700     81.61
4*        10.600      11.40
5*       448.751       2.00      1.49700     81.61
6*        27.675       7.33
7        -35.532       1.00      1.43875     94.93
8         80.227       0.53
9         87.708       2.99      1.69895     30.13
10        -69.531       可変
11         26.300       0.80      1.76200     40.10
12          7.750       2.45      1.73077     40.51
13*        46.819       可変
14（絞り）   ∞         1.00
15         39.718       1.70      1.80810     22.76
16        -47.390       0.84
17        130.846       0.80      1.85400     40.39
18         11.091       2.32      1.49700     81.61
19        -33.188       1.26
20        -10.408       0.50      1.64769     33.79
21        -58.774       0.20
22       -672.983       0.50      1.57250     57.74
23         27.926       3.17      1.49700     81.61
24        -13.890       0.20
25       -236.345       1.87      1.43875     94.93
26        -26.238       0.20
27         29.721       0.50      1.71700     47.92
28         18.656       0.30
29         18.367       4.00      1.43875     94.93
30        -20.562       0.69
31         35.220       0.56      1.51633     64.14
32         14.028       可変
33         35.367       0.53      1.80610     40.92
34         18.411       0.70
35*        17.853       3.86      1.51633     64.06
36       -247.728      15.36
像面          ∞
非球面データ
第３面
k=0.000
A4=-1.07909e-05,A6=-2.02966e-09
第４面
k=-1.093
A4=4.69590e-06,A6=-4.70577e-08
第５面
k=0.000
A4=3.29640e-06,A6=-2.88879e-09
第６面
k=0.051
A4=2.39408e-05,A6=-7.49904e-08,A8=2.67140e-10
第１３面
k=0.000
A4=3.81583e-06,A6=1.14549e-07
第３５面
k=0.000
A4=-3.18526e-05,A6=2.34882e-08
ズームデータ
ズーム比            1.92
広角         中間         望遠
ｆ                  6.12         8.85        11.75
ＦＮＯ．            4.08         4.08         4.08
２ω              124.02       104.81        85.85
ＩＨ               10.26        11.15        11.15
ＦＢ（in air）     15.36        15.36        15.36
全長（in air）    114.54       104.36       101.57
d10                24.21         9.32         1.40
d13                 6.44         5.37         4.46
d32                 4.06         9.84        15.88
近距離物体合焦時
広角         中間         望遠
d10                25.82        11.16         3.51
d13                 4.83         3.53         2.35
d32                 4.06         9.84        15.88
各群焦点距離
f1=-14.45    f2=98.57    f3=27.66    f4=95.19
【０３１５】
数値実施例２
単位  ｍｍ
面データ
面番号          r           d          nd         νd
物面          ∞          ∞
1         40.634       2.50      1.72916     54.68
2         24.500       6.78
3*        20.723       2.80      1.49700     81.54
4*         7.797      11.49
5*        21.833       1.50      1.74320     49.29
6*        11.236       9.01
7        -26.226       1.15      1.69680     55.53
8         36.386       0.10
9         33.087       5.30      1.90366     31.32
10        -45.561       可変
11         21.441       0.70      1.91082     35.25
12         10.376       4.52      1.72047     34.71
13       -411.361       可変
14（絞り）   ∞         1.10
15         27.062       2.95      1.43875     94.93
16        -22.315       1.79
17        -37.733       0.70      2.00069     25.46
18        164.295       0.45
19        -71.871       2.61      1.49700     81.54
20        -12.386       0.21
21        -13.127       0.70      1.91082     35.25
22       -265.826       可変
23         14.849       2.36      1.49700     81.54
24         40.527       0.10
25         17.708       0.70      1.91082     35.25
26         10.257       4.79      1.43875     94.93
27       -158.216       0.72
28         18.186       4.47      1.84666     23.78
29        -26.928       0.10
30        -28.151       0.70      1.91082     35.25
31         10.500       4.01      1.69350     53.18
32*       239.421       可変
像面          ∞
非球面データ
第３面
k=-0.598
A4=-4.50810e-05,A6=4.11017e-09,A8=3.12183e-10,A10=-7.26913e-13,A12=6.17099e-16
第４面
k=-0.783
A4=-1.72282e-05,A6=-4.55398e-07,A8=-2.39031e-09,A10=1.37566e-11,A12=-2.54458e-14
第５面
k=-0.374
A4=-1.57511e-04,A6=1.64162e-07,A8=2.33326e-09,A10=-9.26640e-12,A12=1.11652e-14
第６面
k=-4.577
A4=1.53644e-04,A6=-3.33764e-06,A8=4.53775e-08,A10=-2.85248e-10,A12=8.14436e-13
第３２面
k=0.000
A4=1.14461e-04,A6=3.01737e-07,A8=-3.58794e-09,A10=5.26034e-11,A12=-4.61218e-13
ズームデータ
ズーム比            1.92
広角         中間         望遠
ｆ                  6.12         8.75        11.76
ＦＮＯ．            2.88         2.88         2.88
２ω              122.43       106.21        87.52
ＩＨ               10.09        11.15        11.15
ＦＢ（in air）     14.82        20.20        26.19
全長（in air）    118.73       109.70       107.10
d10                20.36         8.03         1.27
d13                 5.10         5.28         4.85
d22                 4.15         1.88         0.50
d32                14.82        20.20        26.19
近距離物体合焦時
広角         中間         望遠
d10                21.45         8.86         2.07
d13                 4.01         4.45         4.04
d22                 4.15         1.88         0.50
d32                14.82        20.20        26.19
各群焦点距離
f1=-11.56    f2=38.41    f3=-43.30    f4=18.64
【０３１６】
数値実施例３
単位  ｍｍ
面データ
面番号          r           d          nd         νd
物面          ∞          ∞
1         41.534       2.70      1.88300     40.80
2         22.807       4.64
3         27.509       2.50      1.88300     40.80
4         18.423       3.24
5*        22.194       2.50      1.80610     40.88
6*        12.308      11.39
7        -52.674       1.70      1.43700     95.10
8         28.150       4.17      1.80610     33.27
9        176.442       可変
10*        15.571       4.00      1.80610     40.88
11*        20.314       可変
12（絞り）   ∞         1.25
13         37.996       0.75      1.67300     38.15
14         25.377       2.82      1.49700     81.54
15        -21.144       2.93
16        -12.171       0.80      1.51633     64.14
17         12.171       3.09      1.49700     81.54
18      -2449.791       0.15
19         22.985       4.06      1.43700     95.10
20        -17.837       0.15
21*        42.216       3.00      1.49700     81.61
22*       -22.203       可変
23       -222.327       0.80      1.90366     31.32
24         17.758       可変
25*        33.753       3.81      1.51633     64.06
26*       -38.501      14.74
像面          ∞
非球面データ
第５面
k=0.000
A4=5.37803e-05,A6=-3.98313e-07,A8=1.09495e-09,A10=-1.05283e-12
第６面
k=-0.478
A4=4.93152e-05,A6=-5.07624e-07,A8=-1.02107e-09,A10=1.42456e-11,A12=-3.67902e-14
第１０面
k=0.000
A4=4.49075e-05,A6=3.50017e-07,A8=-1.81083e-10,A10=3.28059e-11
第１１面
k=2.202
A4=6.05422e-05,A6=8.77251e-07,A8=-9.79817e-09,A10=1.99367e-10
第２１面
k=0.000
A4=-5.69423e-05,A6=7.11500e-08,A8=-6.67964e-09,A10=1.99900e-11
第２２面
k=0.000
A4=2.96556e-05,A6=1.35880e-07,A8=-6.35669e-09,A10=3.90872e-11
第２５面
k=0.000
A4=1.36963e-05,A6=-1.93487e-07,A8=3.03819e-10
第２６面
k=0.000
A4=4.17364e-05,A6=-3.01793e-07,A8=1.61491e-09,A10=-1.53276e-11,A12=5.82244e-14
ズームデータ
ズーム比            1.92
広角         中間         望遠
ｆ                  7.14         9.88        13.70
ＦＮＯ．            2.88         2.88         2.88
２ω              114.71        96.68        77.79
ＩＨ               10.16        10.73        11.15
ＦＢ（in air）     14.74        14.74        14.74
全長（in air）    112.88       101.60        96.54
d9                 28.14        12.76         2.00
d11                 6.89         6.46         5.98
d22                 1.00         2.36         3.94
d24                 1.66         4.79         9.38
近距離物体合焦時
広角         中間         望遠
d9                 29.72        14.35         3.86
d11                 5.31         4.86         4.12
d22                 1.00         2.36         3.94
d24                 1.66         4.79         9.38
各群焦点距離
f1=-15.87    f2=60.11    f3=16.65    f4=-18.17    f5=35.47
【０３１７】
数値実施例４
単位  ｍｍ
面データ
面番号          r           d          nd         νd
物面          ∞          ∞
1         37.000       2.70      1.72916     54.68
2         23.294       4.61
3*        15.303       3.00      1.49700     81.61
4*         7.040       7.74
5         29.056       1.50      1.77250     49.60
6         13.182       6.86
7        -80.091       1.15      1.49700     81.61
8         43.856       0.15
9         23.035       2.69      1.90366     31.32
10         51.336       可変
11         48.901       0.70      1.91082     35.25
12         18.590       3.75      1.59551     39.24
13        -39.293       可変
14（絞り）   ∞         1.10
15       -130.484       1.97      1.49700     81.61
16        -19.063       0.15
17        -50.921       0.70      1.90366     31.32
18         56.454       0.10
19         30.992       2.00      1.80810     22.76
20       -250.664       1.04
21        -24.263       0.95      1.88300     40.76
22       -143.209       可変
23*        17.086       2.28      1.49700     81.61
24*        40.405       0.15
25         17.368       0.70      1.78590     44.20
26         10.435       5.51      1.49700     81.54
27       -312.041       0.58
28         22.554       5.30      1.49700     81.54
29        -18.597       0.15
30        -50.357       0.70      1.69680     55.53
31         10.500       7.30      1.49700     81.61
32        -17.212       0.00
33        -17.212       1.00      1.58913     61.15
34*       -97.678       可変
像面          ∞
非球面データ 
第３面
k=-5.713
A4=-1.53844e-05,A6=1.54000e-07,A8=-5.67341e-10,A10=1.06505e-12,A12=-8.31170e-16
第４面
k=-1.609
A4=4.52714e-05,A6=4.84524e-07,A8=-4.37664e-09,A10=1.81465e-11,A12=-4.19363e-14
第２３面
k=0.000
A4=8.17540e-05,A6=6.49637e-07,A8=7.35251e-10,A10=1.30349e-11
第２４面
k=0.000
A4=1.47109e-04,A6=7.88511e-07,A8=5.65940e-09,A10=-1.38973e-11
第３４面
k=0.000
A4=9.13377e-05,A6=6.10520e-07,A8=-9.20991e-09,A10=1.55621e-10,A12=-8.73252e-13
ズームデータ
ズーム比            1.92
広角         中間         望遠
ｆ                  7.14         9.90        13.72
ＦＮＯ．            2.88         2.88         2.88
２ω              114.69        98.26        78.13
ＩＨ               10.21        11.15        11.15
ＦＢ（in air）     15.35        19.87        25.66
全長（in air）    109.60       101.21        97.51
d10                11.72         5.03         1.35
d13                 9.70         6.81         3.48
d22                 6.30         2.98         0.50
d34                15.35        19.87        25.66
近距離物体合焦時
広角         中間         望遠
d10                12.87         6.14         2.53
d13                 8.55         5.69         2.30
d22                 6.30         2.98         0.50
d34                15.35        19.87        25.66
各群焦点距離
f1=-12.29    f2=59.63    f3=-88.78    f4=19.83
【０３１８】
数値実施例５
単位  ｍｍ
面データ
面番号          r           d          nd         νd
物面          ∞          ∞
1         36.700       2.70      1.72916     54.68
2         20.150       4.10
3*        14.942       3.00      1.80610     40.88
4*         8.200      10.91
5       -227.722       1.15      1.43700     95.10
6         15.631       4.26
7         19.849       2.50      1.90366     31.32
8         27.152       可変
9*        29.117       3.90      1.59201     67.02
10*       210.150       可変
11（絞り）   ∞         1.30
12        -35.000       0.70      1.90366     31.32
13        737.351       0.70
14         72.356       2.58      1.80810     22.76
15        -21.327       0.10
16        -26.277       0.70      2.00069     25.46
17       -159.667       可変
18*        16.485       3.07      1.49700     81.61
19*        85.137       0.56
20         21.018       0.88      1.80400     46.58
21         11.640       7.60      1.43700     95.10
22       -469.436       1.64
23         19.119       5.65      1.43700     95.10
24        -23.719       0.16
25        -91.441       0.85      1.76200     40.10
26         16.671       4.89      1.43700     95.10
27        -25.734       1.00      1.69350     53.18
28*       -48.831       可変
像面          ∞
非球面データ
第３面
k=-0.870
A4=-4.22008e-05,A6=1.06985e-08,A8=1.45621e-10,A10=-2.92798e-13,A12=8.89833e-17
第４面
k=-0.993
A4=-9.91460e-06,A6=-1.95061e-07,A8=4.81517e-10,A10=1.77213e-12,A12=-1.17350e-14
第９面
k=0.000
A4=7.27856e-05,A6=2.56753e-07,A8=3.06925e-09,A10=2.16181e-11
第１０面
k=0.000
A4=8.86512e-05,A6=4.41810e-07,A8=2.62029e-09,A10=7.10308e-11
第１８面
k=0.000
A4=1.48528e-05,A6=1.33867e-07,A8=-4.05494e-09,A10=8.36545e-11
第１９面
k=0.000
A4=5.16313e-05,A6=3.27973e-07,A8=-8.59119e-09,A10=1.30893e-10
第２８面
k=0.000
A4=7.70411e-05,A6=2.71596e-07,A8=1.75599e-09,A10=-1.87686e-11,A12=1.80787e-13
ズームデータ
ズーム比            1.65
広角         中間         望遠
ｆ                  7.14         9.90        11.77
ＦＮＯ．            2.88         2.88         2.88
２ω              115.10        98.57        87.37
ＩＨ               10.20        11.15        11.15
ＦＢ（in air）     14.64        19.13        21.93
全長（in air）    111.80       100.66        97.35
d8                 13.83         5.61         3.17
d10                10.90         6.95         5.30
d17                 7.52         4.04         2.03
d28                14.64        19.13        21.93
近距離物体合焦時
広角         中間         望遠
d8                 14.96         6.81         4.40
d10                 9.77         5.76         4.07
d17                 7.52         4.04         2.03
d28                14.64        19.13        21.93
各群焦点距離
f1=-12.89    f2=56.64    f3=-110.20    f4=22.22
【０３１９】
数値実施例６
単位  ｍｍ
面データ
面番号          r           d          nd         νd
物面          ∞          ∞
1         41.952       2.30      1.81600     46.62
2         24.010       4.81
3*        27.936       2.30      1.74320     49.34
4*        12.194      11.40
5       -212.728       1.40      1.55332     71.68
6         23.563       3.56
7         44.932       4.60      2.00330     28.27
8       -127.953       1.74
9        -44.303       1.40      1.49700     81.61
10         85.783       可変
11*        49.119       2.40      1.80139     45.45
12*       -39.162       3.08
13        -42.170       0.80      2.00330     28.27
14        452.639       可変
15         24.701       1.80      1.69350     53.20
16        138.787       2.78
17（絞り）   ∞         1.50
18       -836.911       2.20      1.59282     68.63
19        -21.651       0.70
20        -20.047       0.84      1.83481     42.71
21        -42.325       1.59
22         37.553       0.81      1.88300     40.76
23         14.074       3.10      1.43700     95.10
24        -34.252       0.84      1.80610     40.92
25        -56.091       0.40
26         66.181       1.59      1.49700     81.61
27        -47.423       可変
28*       -11.044       1.19      1.62263     58.16
29*       -51.660       0.40
30*       146.759       4.70      1.59201     67.02
31*       -11.998       可変
像面          ∞
非球面データ
第３面
k=0.000
A4=-1.28929e-05,A6=9.58096e-09,A8=-9.06906e-12,A10=2.42260e-15
第４面
k=-0.649
A4=-1.82660e-05,A6=-7.03189e-08,A8=1.54826e-10,A10=-3.96107e-13
第１１面
k=0.000
A4=6.17651e-06,A6=-2.11234e-08,A8=-1.23434e-10
第１２面
k=0.000
A4=1.19868e-05,A6=-3.46626e-08,A8=-4.23616e-11
第２８面
k=0.000
A4=1.07783e-04,A6=8.79284e-07
第２９面
k=0.000
A4=8.68528e-05,A6=3.03940e-07,A8=-6.27914e-10
第３０面
k=0.000
A4=6.98081e-06,A6=2.02837e-07,A8=-9.66083e-10
第３１面
k=0.000
A4=8.40860e-05,A6=1.23009e-07,A8=1.07969e-09,A10=-3.05235e-12
ズームデータ
ズーム比            1.92
広角         中間         望遠
ｆ                  7.14         9.90        13.72
ＦＮＯ．            2.89         2.89         2.89
２ω              117.15        97.61        76.54
ＩＨ               10.51        11.15        11.15
ＦＢ（in air）     16.58        17.53        15.57
全長（in air）    114.99       106.38       107.12
d10                25.31        11.82         2.20
d14                 6.46         5.84         8.38
d27                 2.43         6.99        16.75
d31                16.58        17.53        15.57
近距離物体合焦時
広角         中間         望遠
d10                26.85        13.55         4.24
d14                 4.92         4.11         6.34
d27                 2.43         6.99        16.75
d31                16.58        17.53        15.57
各群焦点距離
f1=-14.90    f2=72.38    f3=27.48    f4=54.18
【０３２０】
数値実施例７
単位  ｍｍ
面データ
面番号          r           d          nd         νd
物面          ∞          ∞
1         39.821       1.75      1.81600     46.62
2         23.000       11.06
3*        24.731       2.00      1.49700     81.54
4*         8.505       8.88
5         65.085       1.40      1.49700     81.54
6*        22.582       7.72
7        -43.136       1.15      1.91082     35.25
8         66.088       2.39
9         57.694       3.04      2.00069     25.46
10       -107.399       可変
11         25.107       0.50      1.92286     18.90
12         11.990       3.53      1.78472     25.68
13       -194.983       可変
14（絞り）   ∞         0.75
15         29.226       1.85      1.43875     94.93
16        -43.198       可変
17        229.273       4.10      1.49700     81.54
18        -14.418       0.38
19        -13.567       0.50      1.81600     46.62
20         29.367       可変
21         35.890       1.16      1.88300     40.76
22         33.343       0.10
23         13.255       0.65      1.74000     28.30
24          9.293       3.49      1.43875     94.93
25        342.739       1.26
26         21.049       3.27      1.75520     27.51
27        -20.772       可変
28        -27.320       0.50      1.85026     32.27
29         10.500       4.00      1.55332     71.68
30*       -29.453       可変
像面          ∞
非球面データ
第３面
k=0.000
A4=8.40972e-06,A6=-1.96312e-07,A8=6.33572e-10,A10=-6.59131e-13
第４面
k=-0.781
A4=2.71176e-06,A6=1.07377e-07,A8=-1.03654e-08,A10=4.69259e-11,A12=-6.74201e-14
第６面
k=-19.553
A4=2.45719e-04,A6=-2.71891e-06,A8=4.36132e-08,A10=-3.26819e-10,A12=1.23213e-12
第３０面
k=7.364
A4=1.38265e-04,A6=8.12349e-08,A8=1.19526e-08,A10=-6.26300e-11
ズームデータ
ズーム              1.92
広角         中間         望遠
ｆ                  6.12         8.85        11.76
ＦＮＯ．            2.88         2.88         2.88
２ω              122.21       103.51        85.45
ＩＨ               10.15        11.15        11.15
ＦＢ（in air）     14.39        19.24        23.78
全長（in air）    112.45       100.95        97.08
d10                21.86         7.90         1.00
d13                 4.80         4.68         2.50
d16                 1.50         1.73         3.00
d20                 4.25         1.50         0.90
d27                 0.23         0.47         0.46
d30                14.39        19.24        23.78
近距離物体合焦時
広角         中間         望遠
d10                23.03         8.62         1.68
d13                 3.63         3.96         1.82
d16                 1.50         1.73         3.00
d20                 4.25         1.50         0.90
d27                 0.23         0.47         0.46
d30                14.39        19.24        23.78
各群焦点距離
f1=-11.41    f2=34.33    f3=40.04    f4=-20.03    f5=12.29    f6=-26.45
【０３２１】
数値実施例８
単位  ｍｍ
面データ
面番号          r           d          nd         νd
物面          ∞          ∞
1         38.750       2.70      1.72916     54.68
2         20.150       4.10
3*        17.017       3.00      1.80610     40.88
4*         8.773      11.01
5        -88.459       1.15      1.43700     95.10
6         17.864       3.68
7         25.150       2.50      1.90366     31.32
8         44.634       可変
9*        33.761       3.79      1.59201     67.02
10*      -326.845       可変
11（絞り）   ∞         可変
12        -35.000       0.70      2.00069     25.46
13        963.652       0.65
14         65.292       2.46      1.84666     23.78
15        -25.858       可変
16        -34.852       0.70      1.91082     35.25
17        765.081       可変
18*        15.416       3.35      1.49700     81.61
19*      -769.308       0.15
20         23.354       1.83      1.80400     46.58
21         10.306       4.31      1.43700     95.10
22         39.932       0.53
23         16.986       6.10      1.43700     95.10
24        -18.122       0.15
25        -91.369       0.85      1.76200     40.10
26         22.184       3.97      1.43700     95.10
27        -24.379       2.41      1.69350     53.18
28*       -73.437       可変
像面          ∞
非球面データ
第３面
k=-0.772
A4=-3.92747e-05,A6=1.50395e-08,A8=1.18115e-10,A10=-1.96180e-13,A12=-2.59650e-17
第４面
k=-0.994
A4=-1.02952e-05,A6=-1.74449e-07,A8=2.73995e-10,A10=4.31904e-12,A12=-1.74697e-14
第９面
k=0.000
A4=6.46420e-05,A6=1.96489e-07,A8=2.99230e-09,A10=2.07686e-11
第１０面
k=0.000
A4=7.93076e-05,A6=1.81734e-07,A8=5.20927e-09,A10=3.46579e-11
第１８面
k=0.000
A4=-4.14573e-07,A6=2.65414e-07,A8=-4.10155e-09,A10=5.55192e-11
第１９面
k=0.000
A4=4.66839e-05,A6=4.51038e-07,A8=-6.38088e-09,A10=7.65812e-11
第２８面
k=0.000
A4=8.52243e-05,A6=4.42744e-07,A8=-2.52365e-09,A10=4.41834e-11,A12=-1.38054e-13
ズームデータ
ズーム比            1.92
広角         中間         望遠
ｆ                  7.14         9.90        13.72
ＦＮＯ．            2.84         2.81         2.88
２ω              112.03        98.51        77.81
ＩＨ                9.70        11.15        11.15
ＦＢ（in air）     14.64        19.15        24.73
全長（in air）    111.73       101.03        96.52
d8                 16.46         6.79         1.60
d10                 7.05         6.03         6.70
d11                 5.15         4.20         1.30
d15                 0.50         0.76         1.60
d17                 7.84         3.96         0.50
d28                14.64        19.15        24.73
近距離物体合焦時
広角         中間         望遠
d8                 17.62         7.98         2.88
d10                 5.89         4.84         5.43
d11                 5.15         4.20         1.30
d15                 0.50         0.76         1.60
d17                 7.84         3.96         0.50
d28                14.64        19.15        24.73
各群焦点距離
f1=-13.37    f2=51.89    f3=55.20    f4=-36.58    f5=22.17
【０３２２】
数値実施例９
単位  ｍｍ
面データ
面番号          r           d          nd         νd
物面          ∞          ∞
1         41.952       2.30      1.81600     46.62
2         24.010       4.81
3*        27.936       2.30      1.74320     49.34
4*        12.194      11.40
5       -212.728       1.40      1.55332     71.68
6         23.563       3.56
7         44.932       4.60      2.00330     28.27
8       -127.953       1.74
9        -44.303       1.40      1.49700     81.61
10         85.783       可変
11*        49.119       2.40      1.80139     45.45
12*       -39.162       3.08
13        -42.170       0.80      2.00330     28.27
14        452.639       6.50
15         24.701       1.80      1.69350     53.20
16        138.787       2.78
17（絞り）   ∞         1.50
18       -836.911       2.20      1.59282     68.63
19        -21.651       0.70
20        -20.047       0.84      1.83481     42.71
21        -42.325       1.59
22         37.553       0.81      1.88300     40.76
23         14.074       3.10      1.43700     95.10
24        -34.252       0.84      1.80610     40.92
25        -56.091       0.40
26         66.181       1.59      1.49700     81.61
27        -47.423       可変
28*       -11.044       1.19      1.62263     58.16
29*       -51.660       0.40
30*       146.759       4.70      1.59201     67.02
31*       -11.998       可変
像面          ∞
非球面データ
第３面
k=0.000
A4=-1.28929e-05,A6=9.58096e-09,A8=-9.06906e-12,A10=2.42260e-15
第４面
k=-0.649
A4=-1.82660e-05,A6=-7.03189e-08,A8=1.54826e-10,A10=-3.96107e-13
第１１面
k=0.000
A4=6.17651e-06,A6=-2.11234e-08,A8=-1.23434e-10
第１２面
k=0.000
A4=1.19868e-05,A6=-3.46626e-08,A8=-4.23616e-11
第２８面
k=0.000
A4=1.07783e-04,A6=8.79284e-07
第２９面
k=0.000
A4=8.68528e-05,A6=3.03940e-07,A8=-6.27914e-10
第３０面
k=0.000
A4=6.98081e-06,A6=2.02837e-07,A8=-9.66083e-10
第３１面
k=0.000
A4=8.40860e-05,A6=1.23009e-07,A8=1.07969e-09,A10=-3.05235e-12
ズームデータ
ズーム比            1.95
広角         中間         望遠
ｆ                  7.14         9.82        13.95
ＦＮＯ．            2.88         2.89         2.85
２ω              117.16        98.09        75.32
ＩＨ               10.51        11.15        11.15
ＦＢ（in air）     16.58        17.47        17.31
全長（in air）    115.03       106.98       105.52
d10                25.31        11.82         2.00
d14                 6.50         6.50         6.50
d27                 2.43         6.99        15.50
d31                16.58        17.47        17.31
近距離物体合焦時
広角         中間         望遠
d10                26.85        13.55         4.13
d14                 4.96         4.77         4.37
d27                 2.43         6.99        15.50
d31                16.58        17.47        17.31
各群焦点距離
f1=-14.90    f2=25.89    f3=54.18
【０３２３】
数値実施例１０
単位  ｍｍ
面データ
面番号          r           d          nd         νd
物面          ∞          ∞
1         33.425       3.00      1.72916     54.68
2         26.306       7.50
3*        17.448       2.85      1.49700     81.61
4*         7.561      13.70
5*        21.729       1.50      1.49700     81.61
6*        12.893       5.57
7        -51.538       1.15      1.80400     46.57
8         20.865       1.70
9         27.197       3.69      1.90366     31.32
10       -733.544       可変
11        253.308       2.07      1.61772     49.81
12*       -42.589       1.00
13         44.082       0.78      1.75520     27.51
14         12.857       4.04      1.63980     34.46
15        378.385       可変
16（絞り）   ∞         1.10
17        -58.439       1.82      1.49700     81.54
18        -16.206       1.44
19        -21.309       0.70      1.91082     35.25
20         78.965       0.01
21         31.783       2.99      1.84666     23.78
22        -19.176       0.12
23        -17.598       0.70      1.90366     31.32
24        195.353       可変
25*        16.026       2.90      1.49700     81.54
26*      -139.738       0.10
27         71.053       0.72      1.83481     42.71
28         15.246       4.42      1.49700     81.61
29        -36.260       0.10
30         36.717       5.50      1.43875     94.93
31        -13.883       0.10
32        -28.774       0.71      1.51823     58.90
33         13.805       5.16      1.49700     81.54
34        -31.841       0.30
35        -39.432       1.01      1.69350     53.18
36*       111.173       可変
像面          ∞
非球面データ
第３面
k=-0.955
A4=-3.79095e-05,A6=-3.24438e-08,A8=2.92944e-10,A10=-4.82184e-13,A12=3.02433e-16
第４面
k=-0.894
A4=3.55903e-05,A6=-1.76440e-07,A8=-2.11083e-09,A10=2.68243e-12,A12=7.63340e-15
第５面
k=-1.557
A4=-1.79704e-04,A6=2.92287e-07,A8=2.35566e-09,A10=-1.03630e-11,A12=1.25767e-14
第６面
k=-6.619
A4=8.04992e-05,A6=-3.19281e-06,A8=4.40368e-08,A10=-2.60172e-10,A12=6.62983e-13
第１２面
k=0.000
A4=8.26189e-07,A6=2.20076e-08,A8=1.74523e-11,A10=2.88681e-13
第２５面
k=0.000
A4=-3.70907e-05,A6=7.55536e-07,A8=1.28139e-09,A10=9.42729e-11
第２６面
k=0.000
A4=6.11474e-05,A6=1.03197e-06,A8=3.75171e-09,A10=1.52568e-10
第３６面
k=0.000
A4=8.86652e-05,A6=3.19556e-07,A8=-2.15373e-09,A10=7.25268e-11,A12=-4.18521e-13
ズームデータ
ズーム比            1.92
広角         中間         望遠
ｆ                  6.11         8.73        11.73
ＦＮＯ．            2.88         2.88         2.88
２ω              122.55       105.50        86.83
ＩＨ               10.19        11.15        11.15
ＦＢ（in air）     14.60        19.60        24.84
全長（in air）    120.73       110.91       107.57
d10                15.55         5.73         1.00
d12                 1.00         1.00         1.00
d15                 5.76         4.35         2.79
d24                 6.37         2.80         0.50
d36                14.60        19.60        24.84
近距離物体合焦時
広角         中間         望遠
d10                16.20         6.44         1.77
d12                 0.35         0.29         0.23
d15                 5.76         4.35         2.79
d24                 6.37         2.80         0.50
d36                14.60        19.60        24.84
各群焦点距離
f1=-11.20    f2=42.56    f3=-62.81    f4=19.30
【０３２４】
数値実施例１１
単位  ｍｍ
面データ
面番号          r           d          nd         νd
物面          ∞          ∞
1         48.633       2.00      1.81600     46.62
2         28.815       7.10
3*        31.077       2.00      1.69350     53.21
4*        12.118      11.40
5        714.895       1.20      1.43875     94.93
6         19.746       5.00
7         43.962       3.50      2.00100     29.13
8        430.433       2.60
9        130.145       1.20      1.43875     94.93
10         24.661       可変
11         36.864       2.30      1.80400     46.57
12       -107.817       5.29
13        -37.881       0.92      2.00100     29.13
14        -77.920       可変
15         19.671       1.70      1.59201     67.02
16         56.788       1.50
17（絞り）   ∞         1.50
18         42.101       2.30      1.49700     81.54
19        -21.523       0.70
20        -21.051       0.80      1.77250     49.60
21        -62.350       1.50
22        101.707       0.80      1.88300     40.76
23         15.742       2.86      1.43875     94.93
24        -33.587       0.70
25         23.075       1.78      1.43875     94.93
26        569.324       可変
27        -16.290       0.80      1.64000     60.08
28       -186.188       1.37
29         55.335       3.50      1.59201     67.02
30*       -21.314       可変
像面          ∞
非球面データ
第３面
k=0.000
A4=-2.11237e-05,A6=1.55779e-08,A8=-1.38951e-11
第４面
k=-0.811
A4=-2.87459e-05,A6=-4.47774e-08
第３０面
k=0.000
A4=6.40511e-05,A6=-2.20568e-07,A8=2.90093e-09,A10=-1.37751e-11
ズームデータ
ズーム比            1.92
広角         中間         望遠
ｆ                  7.14         9.90        13.72
ＦＮＯ．            2.89         4.00         4.00
２ω              113.90        97.22        75.72
ＩＨ                9.84        10.70        10.70
ＦＢ（in air）     15.05        17.04        17.47
全長（in air）    111.99       104.18       101.80
d10                25.21        11.86         2.51
d12                 5.29         5.29         5.29
d14                 3.91         4.49         4.77
d26                 1.49         4.45        10.72
d30                15.05        17.04        17.47
近距離物体合焦時
広角         中間         望遠
d10                27.18        13.04         3.60
d12                 3.33         4.12         4.20
d14                 3.91         4.49         4.77
d26                 1.49         4.45        10.72
d30                15.05        17.04        17.47
各群焦点距離
f1=-13.69    f2=55.85    f3=26.20    f4=146.89
【０３２５】
数値実施例１２
単位  ｍｍ
面データ
面番号          r           d          nd         νd
物面          ∞          ∞
1         40.857       2.70      1.88300     40.80
2         24.161       4.85
3         29.020       2.50      1.88300     40.80
4         19.322       2.97
5*        22.072       2.50      1.80610     40.88
6*        12.388      12.51
7        -50.251       1.70      1.43700     95.10
8         33.573       0.42
9         30.981       4.00      1.90366     31.32
10         90.155       可変
11*        16.598       4.00      1.80610     40.88
12*        22.336       可変
13（絞り）   ∞         1.25
14         41.481       0.70      1.51633     64.14
15         31.481       2.58      1.49700     81.61
16        -27.003       2.61
17        -14.574       0.80      1.53996     59.46
18         12.504       3.11      1.49700     81.61
19       1684.817       0.15
20*        26.235       3.41      1.49700     81.61
21*       -23.920       0.15
22       -171.223       3.00      1.43700     95.10
23        -17.233       可変
24         33.531       2.09      1.56883     56.36
25       -172.910       0.80      1.90366     31.32
26         16.111       可変
27*        21.000       4.00      1.51633     64.06
28*      -119.058      14.59
像面          ∞
非球面データ 
第５面
k=0.000
A4=5.07542e-05,A6=-3.26124e-07,A8=7.23527e-10,A10=-5.64831e-13
第６面
k=-0.545
A4=5.47849e-05,A6=-3.95024e-07,A8=-1.11242e-09,A10=1.04300e-11,A12=-2.12350e-14
第１１面
k=0.000
A4=2.79972e-05,A6=1.18399e-07,A8=2.94567e-09,A10=-8.36669e-12
第１２面
k=0.000
A4=6.23392e-05,A6=3.91477e-07,A8=4.86816e-09,A10=-1.84851e-11
第２０面
k=0.000
A4=-3.06299e-05,A6=2.92993e-07,A8=-2.53560e-09,A10=3.68190e-11
第２１面
k=0.000
A4=4.70106e-05,A6=1.86947e-07,A8=-1.29414e-09,A10=3.34999e-11
第２７面
k=0.000
A4=5.08450e-06,A6=-9.63084e-08,A8=4.37614e-10
第２８面
k=0.000
A4=2.32475e-05,A6=-2.19104e-07,A8=1.79764e-09,A10=-1.41583e-11,A12=5.51140e-14
ズームデータ
ズーム比            1.91
広角         中間         望遠
ｆ                  7.20         9.91        13.73
ＦＮＯ．            2.88         2.88         2.88
２ω              116.82        99.54        82.26
ＩＨ               10.19        10.62        11.15
ＦＢ（in air）     14.59        14.59        14.59
全長（in air）    116.21       105.48       100.62
d10                28.04        13.85         2.18
d12                 7.98         6.63         7.50
d23                 1.00         3.16         6.48
d26                 1.81         4.43         7.06
近距離物体合焦時
広角         中間         望遠
d10                29.61        15.46         4.07
d12                 6.41         5.02         5.61
d23                 1.00         3.16         6.48
d26                 1.81         4.43         7.06
各群焦点距離
f1=-15.86    f2=61.13    f3=20.96    f4=-25.38    f5=34.91
【０３２６】
数値実施例１３
単位  ｍｍ
面データ
面番号          r           d          nd         νd
物面          ∞          ∞
1         40.000       2.50      1.88300     40.80
2         22.530       4.89
3         27.243       2.50      1.88300     40.80
4         18.157       2.79
5*        20.564       2.50      1.80610     40.88
6*        11.636      11.44
7        -73.513       1.75      1.49700     81.54
8         24.987       4.20      1.90366     31.32
9         98.362       可変
10*        16.348       3.72      1.80610     40.88
11*        21.877       可変
12（絞り）   ∞         1.25
13         37.981       0.95      1.72000     46.02
14         26.359       3.22      1.49700     81.54
15        -15.490       1.44
16        -10.950       0.80      1.51633     64.14
17         12.238       2.98      1.49700     81.54
18        170.879       0.15
19         20.681       4.25      1.43700     95.10
20        -17.740       0.15
21*       112.166       2.85      1.49700     81.61
22*       -18.752       可変
23       -137.026       0.80      1.90366     31.32
24         19.525       可変
25*        39.261       4.13      1.51633     64.06
26*       -34.524       可変
像面       ∞
非球面データ
第５面
k=0.000
A4=6.57195e-05,A6=-5.09445e-07,A8=1.47888e-09,A10=-1.69855e-12
第６面
k=-0.500
A4=7.32025e-05,A6=-7.37876e-07,A8=-3.81674e-10,A10=1.47076e-11,A12=-4.50516e-14
第１０面
k=0.000
A4=4.79125e-05,A6=4.73335e-08,A8=7.67036e-09,A10=-5.60898e-11
第１１面
k=5.585
A4=2.36048e-05,A6=-3.84290e-07,A8=1.77462e-08,A10=-3.54139e-10
第２１面
k=0.000
A4=-8.24382e-05,A6=-6.06057e-07,A8=4.46043e-09,A10=3.33433e-11
第２２面
k=0.000
A4=1.56244e-05,A6=-5.11423e-07,A8=7.02354e-09,A10=2.24911e-11
第２５面
k=0.000
A4=4.75833e-06,A6=-2.33909e-07,A8=8.62893e-10
第２６面
k=0.000
A4=2.88478e-05,A6=-2.44406e-07,A8=7.64290e-10,A10=-5.65104e-12,A12=3.44034e-14
ズームデータ
ズーム比            2.04
広角         中間         望遠
ｆ                  6.95         9.88        14.14
ＦＮＯ．            2.88         2.88         2.88
２ω              116.14        99.21        75.99
ＩＨ               10.12        11.15        11.15
ＦＢ（in air）     15.52        15.84        16.64
全長（in air）    113.21       101.40        96.63
d9                 29.00        12.75         1.00
d11                 6.80         6.40         6.46
d22                 1.00         2.37         4.04
d24                 1.64         4.78         9.23
d26                15.52        15.84        16.64
近距離物体合焦時
広角         中間         望遠
d9                 30.36        14.20         2.75
d11                 5.44         4.95         4.71
d22                 1.00         2.37         4.04
d24                 1.64         4.78         9.23
d26                15.52        15.84        16.64
各群焦点距離
f1=-15.66    f2=61.74    f3=16.57    f4=-18.87    f5=36.27
【０３２７】
以上の実施例１〜１３の収差図を、それぞれ図１４〜図３９に示す。一つの実施例に対して収差図は２つあり、無限遠物体合焦時における収差図、近距離物体合焦時における収差図の順に示している。また、各図中、”ＦＩＹ”は最大像高を示す。
【０３２８】
これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示す。
【０３２９】
また、（ｅ）、（ｆ）、（ｇ）、（ｈ）は、それぞれ、中間焦点距離状態２における球面収差（ＳＡ）、非点収差（ＡＳ）、歪曲収差（ＤＴ）、倍率色収差（ＣＣ）を示す。
【０３３０】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示す。
【０３３１】
次に、各実施例における条件式（１）〜（１５）の値を掲げる。なお、条件式（１２）については、広角端における値を上段に、望遠端における値を下段に記載している。
実施例１    実施例２    実施例３    実施例４
(1)νdFnmax              94.93       81.54       95.1        81.61
(2)FBw/fF                -1.06       -1.28       -0.93       -1.25
(3)fw×Fnowmin/fF        -1.73       -1.52       -1.30       -1.67
(4)fRw/FBw                1.56        1.77        1.70        1.58
(5)|rF1i/fF|             1.59        2.12        1.44        1.89
(6)θgFFn                 0.5340      0.5375      0.5334      0.5388
(7)θgFFn+0.0016          0.0444      0.0265      0.0441      0.0279
×νd-0.6415
(8)FBw/LTLw               0.13        0.12        0.13        0.14
(9)SPF1                   3.15        4.04        3.44        4.40
(10)ASPRθ               49          53          50.0        53.4
(11)DTLw                -10.92       -9.45       -8.86       -8.35
(12)|MGfob2×(MGfo2-1)|   0.15        0.22        0.20        0.30
0.38        1.03        0.55        0.93
(13)fF/(fw×ft)1/2       -1.70       -1.36       -1.60       -1.24
(14)SPF2                  2.43        2.21        5.06        2.70
(15)SPF4                  1.13        3.12        3.49        2.66
実施例５    実施例６    実施例７    実施例８
(1)νdFnmax              95.1        81.61       81.54       95.1
(2)FBw/fF                -1.14       -1.11       -1.26       -1.10
(3)fw×Fnowmin/fF        -1.60       -1.38       -1.54       -1.52
(4)fRw/FBw                1.82        1.76        1.80        1.80
(5)|rF1i/fF|             1.56        1.61        2.02        1.51
(6)θgFFn                 0.5334      0.5388      0.5375      0.5334
(7)θgFFn+0.0016          0.0441      0.0279      0.0265      0.0441
×νd-0.6415
(8)FBw/LTLw               0.13        0.14        0.13        0.13
(9)SPF1                   3.44        3.68        3.73        3.17
(10)ASPRθ               51.1        54.4        56.7        51
(11)DTLw                 -9.18      -10.02       -7.43       -8.42
(12)|MGfob2×(MGfo2-1)|   0.28        0.21        0.18        0.28
0.64        0.53        1.06        0.87
(13)fF/(fw×ft)1/2       -1.41       -1.50       -1.35       -1.35
(14)SPF2                  3.43        2.55        2.05        3.13
(15)SPF4                  0.87        0.80        2.06        0.66
実施例９    実施例１０  実施例１１  実施例１２
(1)νdFnmax              81.61       81.61       94.93       95.1
(2)FBw/fF                -1.11       -1.30       -1.10       -0.92
(3)fw×Fnowmin/fF        -1.38       -1.57       -1.51       -1.31
(4)fRw/FBw                1.76        1.73        1.73        1.70
(5)|rF1i/fF|             1.61        2.35        2.10        1.52
(6)θgFFn                 0.5388      0.5388      0.5340      0.5334
(7)θgFFn+0.0016          0.0279      0.0279      0.0444      0.0441
×νd-0.6415
(8)FBw/LTLw               0.14        0.12        0.13        0.13
(9)SPF1                   3.68        8.39        3.91        3.89
(10)ASPRθ               54.4        53.9        36.8        52.30
(11)DTLw                -10.03       -8.65       -7.83      -10.31
(12)|MGfob2×(MGfo2-1)|   0.21        0.28        0.16        0.20
0.55        0.80        1.00        0.55
(13)fF/(fw×ft)1/2       -1.49       -1.32       -1.38       -1.59
(14)SPF2                  2.55        2.53        2.28        4.98
(15)SPF4                  0.80        3.92        1.06        3.56
実施例１３
(1)νdFnmax              81.54
(2)FBw/fF                -0.99
(3)fw×Fnowmin/fF        -1.28
(4)fRw/FBw                1.58
(5)|rF1i/fF|             1.44
(6)θgFFn                 0.5375
(7)θgFFn+0.0016          0.0265
×νd-0.6415
(8)FBw/LTLw               0.14
(9)SPF1                   3.58
(10)ASPRθ               51.00
(11)DTLw                 -9.26
(12)|MGfob2×(MGfo2-1)|  -0.20
-0.57
(13)fF/(fw×ft)1/2       -1.58
(14)SPF2                  5.00
(15)SPF4                  3.61
【０３３２】
図４０は、電子撮像装置としての一眼ミラーレスカメラの断面図である。図４０において、一眼ミラーレスカメラ１の鏡筒内には撮影光学系２が配置される。マウント部３は、撮影光学系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０３３３】
そして、一眼ミラーレスカメラ１の撮影光学系２として、例えば上記実施例１〜１３に示したズームレンズが用いられる。
【０３３４】
図４１、図４２は、実施例１〜１３に示したズームレンズを有する撮像装置の構成の概念図を示す。図４１は撮像装置としてのデジタルカメラ４０の外観を示す前方斜視図、図４２は同後方斜視図である。このデジタルカメラ４０の撮影光学系４１に、本実施例のズームレンズが用いられている。
【０３３５】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【０３３６】
図４３は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０３３７】
図４３に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０３３８】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０３３９】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０３４０】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【０３４１】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０３４２】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０３４３】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０３４４】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０３４５】
このように構成されたデジタルカメラ４０は、撮影光学系４１として本実施例のズームレンズを採用することで、超広画角、小型でありながら、画質を劣化させずに高解像の画像を得るのに有利な撮像装置とすることが可能となる。
【産業上の利用可能性】
【０３４６】
以上のように、本発明は、光学系の小型化と軽量化が十分になされ、かつ、Ｆナンバーに比べて十分に広い画角を持ちながらも諸収差が十分に低減されたズームレンズ及びそれを有する撮像装置に適している。
【符号の説明】
【０３４７】
ＧＦ  前群
ＧＲ  後群
Ｇｆｏ  フォーカスレンズ群
Ｇ１  第１レンズ群
Ｇ２  第２レンズ群
Ｇ３  第３レンズ群
Ｇ４  第４レンズ群
Ｇ５  第５レンズ群
Ｇ６  第６レンズ群
ＬＵ１  第１レンズユニット
ＬＵ２  第２レンズユニット
Ｓ  開口絞り
Ｉ  像面
１  一眼ミラーレスカメラ
２  撮影光学系
３  鏡筒のマウント部
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  デジタルカメラ
４１  撮影光学系
４２  撮影用光路
４５  シャッターボタン
４７  液晶表示モニター
４９  ＣＣＤ
【図１】
0006518039.tif 000002
【図２】
0006518039.tif 000003
【図３】
0006518039.tif 000004
【図４】
0006518039.tif 000005
【図５】
0006518039.tif 000006
【図６】
0006518039.tif 000007
【図７】
0006518039.tif 000008
【図８】
0006518039.tif 000009
【図９】
0006518039.tif 000010
【図１０】
0006518039.tif 000011
【図１１】
0006518039.tif 000012
【図１２】
0006518039.tif 000013
【図１３】
0006518039.tif 000014
【図１４】
0006518039.tif 000015
【図１５】
0006518039.tif 000016
【図１６】
0006518039.tif 000017
【図１７】
0006518039.tif 000018
【図１８】
0006518039.tif 000019
【図１９】
0006518039.tif 000020
【図２０】
0006518039.tif 000021
【図２１】
0006518039.tif 000022
【図２２】
0006518039.tif 000023
【図２３】
0006518039.tif 000024
【図２４】
0006518039.tif 000025
【図２５】
0006518039.tif 000026
【図２６】
0006518039.tif 000027
【図２７】
0006518039.tif 000028
【図２８】
0006518039.tif 000029
【図２９】
0006518039.tif 000030
【図３０】
0006518039.tif 000031
【図３１】
0006518039.tif 000032
【図３２】
0006518039.tif 000033
【図３３】
0006518039.tif 000034
【図３４】
0006518039.tif 000035
【図３５】
0006518039.tif 000036
【図３６】
0006518039.tif 000037
【図３７】
0006518039.tif 000038
【図３８】
0006518039.tif 000039
【図３９】
0006518039.tif 000040
【図４０】
0006518039.tif 000041
【図４１】
0006518039.tif 000042
【図４２】
0006518039.tif 000043
【図４３】
0006518039.tif 000044